(57)【要約】      （修正有）【課題】摂取可能事象マーカによって生成される電気信号を検出するためのモバイルデバイス（可搬装置）を提供する。【解決手段】摂取可能事象マーカデバイスによって生成される電気信号を検出するためのモバイルデバイスおよび検出装置を備えるシステムにおいて、モバイルデバイス５００は、摂取可能事象マーカによって生成される電気信号を検出装置から受信するための検出サブシステムを含む。処理サブシステムは、電気信号を復号するために検出サブシステムに接続される。無線サブシステムは、復号された電気信号を無線ノードに送信する。方法は、モバイルデバイスにおいて摂取可能事象マーカによって生成される電気信号を受信することと、電気信号を復号して、摂取可能事象マーカに関連する情報を抽出することと、情報を無線ノードに送信することとを含む。【選択図】図５
2020127235.tif 000002
【特許請求の範囲】
【請求項１】
摂取可能事象マーカによって生成される信号を検出する頭部着用品であって、
前記摂取可能事象マーカによって生成された信号を受信することとし、
前記頭部着用品の向かい合った側に配置されており、前記頭部着用品がユーザに装着された際にユーザの頭部の向かい合う皮膚面に接触し、前記摂取可能事象マーカによって生成された特有の電流信号を検出するように構成されている一対の電極、および、
前記一対の電極に接続される検出回路モジュール
を有している検出サブシステムと、
前記検出サブシステムに接続されるとともに、モバイルデバイスに無線接続可能であり、前記摂取可能事象マーカに関連する情報を前記モバイルデバイスへ無線送信するように構成されているアンテナと
を備えることを特徴とする頭部着用品。
【請求項２】
前記検出回路モジュールは、前記摂取可能事象マーカによって生成された前記電流信号に符号化された情報を検出するように構成されていることを特徴とする請求項１に記載の頭部着用品。
【請求項３】
前記検出回路モジュールは、ＲＦＩＤタグおよび／または誘導結合の少なくとも一つによりワイヤレスで電力供給されるように構成してあることを特徴とする請求項１に記載の頭部着用品。
【請求項４】
前記検出回路モジュールは、前記モバイルデバイスから受信された質問信号に応じてワイヤレスで電力供給されるように構成してあることを特徴とする請求項１に記載の頭部着用品。
【請求項５】
前記検出サブシステムは、摂取可能事象マーカによって生成された信号の前記一対の電極を介した受信、および、前記質問信号に応じて電力供給された際の無線ノードへの前記摂取可能事象マーカに関連する情報の送信を始めるように構成されていることを特徴とする請求項４に記載の頭部着用品。
【請求項６】
前記検出回路モジュールに電力を供給するためのバッテリをさらに備えることを特徴とする請求項１に記載の頭部着用品。
【請求項７】
前記アンテナは、Ｂｌｕｅｔｏｏｔｈ通信を用いて、前記摂取可能事象マーカに関連する情報を前記モバイルデバイスへ送信するように構成されていることを特徴とする請求項１に記載の頭部着用品。
【請求項８】
前記アンテナは、Ｗｉ−Ｆｉ通信を用いて、前記摂取可能事象マーカに関連する情報を前記モバイルデバイスへ送信するように構成されていることを特徴とする請求項１に記載の頭部着用品。
【請求項９】
ヘルメット、帽子、または日よけを有することを特徴とする請求項１に記載の頭部着用品。
【請求項１０】
前記一対の電極は、前記摂取可能事象マーカに関連する情報が符号化された特有の電流シグネチャ信号を検出するように構成されており、前記検出回路モジュールは、前記特有の電流シグネチャ信号を復号するように構成されていることを特徴とする請求項１に記載の頭部着用品。
【請求項１１】
前記ユーザの頭部に支持されるように構成されている環状の支持体を更に備えており、前記環状の支持体の向かい合った側に前記一対の電極が位置付けされていることを特徴とする請求項１に記載の頭部着用品。
【発明の詳細な説明】
【技術分野】
【０００１】
本開示は、別のデバイス、例えば摂取可能デバイス、移植可能デバイス、摂取可能事象マーカ（ＩＥＭ）、ペースメーカー等の移植可能パルスジェネレータ、例えば特にステント、摂取可能または移植可能トランシーバ、からの通信を検出するためのモバイルデバイス機器、システム、および方法に概して関する。例えば摂取可能事象マーカ（ＩＥＭ）のケースにおいては、現在では、埋め込まれたＩＥＭを含む処方薬の摂取を検出するために、着用可能パッチデバイスが患者によって取り付けられている。本開示は、患者によるＩＥＭの摂取を検出するように構成される、ハンドヘルド可搬型デバイス、コンピュータ、ときにはスマートフォンと呼ばれる携帯電話、タブレット型パーソナルコンピュータ（ＰＣ）、キヨスク（ｋｉｏｓｋ）、デスクトップコンピュータ、もしくはラップトップコンピュータ、またはそれらの任意の組み合わせ等のモバイルデバイスに関する。
【背景技術】
【０００２】
一般的に、患者によるＩＥＭデバイスの摂取の検出は、皮膚の外部表面に取り付けられたウェアラブルパッチのフォームファクタで提供される検出電子機器により実行される。パッチは、皮膚に接触させられる湿式または乾式電極を含み得る。接着層が全体のパッチ構成を患者に固定する。ＩＥＭデバイスが患者によって摂取され、胃液と接触するとき、特定のＩＥＭデバイスが患者によって摂取されたことを示すために、ＩＥＭデバイスはパッチの検出回路の通信を開始する。
【先行技術文献】
【特許文献】
【０００３】
【特許文献１】米国特許出願公開第２０１０／０１８５０５５号明細書
【発明の概要】
【発明が解決しようとする課題】
【０００４】
ＩＥＭデバイスの摂取を検出するパッチの着用に関連するさまざまな問題に対処するためには、パッチを撤廃し、モバイルデバイス（可搬装置）と直接通信を行う必要性がある。モバイルデバイスは、患者がパッチを着用する必要なく、控えめで人目に付かない方式のＩＥＭ通信を提供する。
【課題を解決するための手段】
【０００５】
一態様において、摂取可能事象マーカによって生成される電気信号を検出するためのモバイルデバイス（可搬装置）が提供される。このモバイルデバイスは、検出装置から、摂取可能事象マーカによって生成される電気信号を受信するための検出サブシステムを備える。処理サブシステムは、電気信号を復号する検出サブシステムに接続される。無線サブシステムは、復号された電気信号を無線ノードに送信するように構成される。
【図面の簡単な説明】
【０００６】
【図１】摂取可能事象マーカデバイスによって生成される電気信号を検出するためのモバイルデバイスを備えるシステムの一態様を示す図である。
【図２】摂取可能事象マーカデバイスによって生成される電気信号を検出するためのモバイルデバイスを備える、図１に示されるシステムの一態様を示す図である。
【図３Ａ】イヤホン形式の検出装置の一態様を示す側面図である。
【図３Ｂ】図３Ａに示される検出装置の一態様を示す正面図である。
【図４】摂取可能事象マーカデバイスによって生成される電気信号を検出するためのモバイルデバイスと有線で接続されるイヤホン形式の検出装置を備えるシステムの一態様を示す図である。
【図５】外部検出装置と接続するように構成される摂取可能事象マーカによって生成される電気信号を検出するためのモバイルデバイスの一態様を示す系統図である。
【図６Ａ】摂取可能事象マーカによって生成される電気信号を検出するためのモバイルデバイスの検出サブシステムの電極入力回路部に接続されるイヤホンプラグの一態様を示す図である。
【図６Ｂ】図６Ａに示される検出サブシステムの電気入力回路の一態様を示す図である。
【図７】摂取可能事象マーカによって生成される電気信号を検出するためのモバイルデバイスにおける検出サブシステムの一態様を示す系統図である。
【図８】摂取可能事象マーカによって生成される電気信号を検出するための一体化電極を備えるモバイルデバイスの一態様を示す図である。
【図９】一体化電極と接続するように構成される摂取可能事象マーカによって生成される電気信号を検出するためのモバイルデバイスの一態様を示す系統図である。
【図１０】摂取可能事象マーカによって生成される電気信号を検出するための、図８〜９に示される、一体化電極を備えるモバイルデバイスの一態様を使用するプロセス中にある患者を示す図である。
【図１１】摂取可能事象マーカによって生成される電気信号を検出するための、一体化された検出回路を備えるモバイルデバイス包囲装置と嵌め合い構成で受容されるモバイルデバイスの一態様を示す図である。
【図１２】モバイルデバイスおよび、嵌め合わされてない構成の、図１１に示されるモバイルデバイスを受容するためのハウジングを図解する。
【図１３】摂取可能事象マーカによって生成される電気信号を検出するための一体化された検出回路、および検出回路をモバイルデバイスの機能モジュールに電気的に接続するためのコネクタを備え、モバイルデバイスを受容するためのハウジングの一態様を示す図である。
【図１４】摂取可能事象マーカによって生成される電気信号を検出するための検出回路の一態様を示す系統図である。
【図１５】摂取可能事象マーカによって生成される電気信号を検出するためのモバイルデバイスと有線で接続されるメガネ形式の検出装置を備えるシステムの一態様を示す図である。
【図１６】摂取可能事象マーカによって生成される電気信号を検出するためのモバイルデバイスに無線で接続されるメガネに一体化された、電極、検出回路モジュール、およびアンテナを備えるシステムの一態様を示す図である。
【図１７】摂取可能事象マーカによって生成される電気信号を検出するためのモバイルデバイスに無線で接続されるサンバイザーに一体化された電極、検出回路モジュール、およびアンテナを備えるシステムの一態様を示す図である。
【図１８】摂取可能事象マーカによって生成される電気信号を検出するためのモバイルデバイスに無線で接続されるヘルメットに一体化された電極、検出回路モジュール、およびアンテナを備えるシステムの一態様を示す図である。
【図１９】摂取可能事象マーカによって生成される電気信号を検出するためのモバイルデバイスに無線で接続される補聴器セットに一体化された電極、検出回路モジュール、およびアンテナを備えるシステムの一態様を示す図である。
【図２０】摂取可能事象マーカによって生成される電気信号を検出するためのモバイルデバイスに無線で接続される椅子に一体化された電極、検出回路モジュール、およびアンテナを備えるシステムの一態様を示す図である。
【図２１】摂取可能事象マーカデバイスの一態様に相当するシステムを示す図である。
【図２２】同一端上に位置付けされ、非導電性金属により分離される異種金属を有する事象表示器システムの別の態様を示す構成図である。
【図２３】図２１の事象表示器システムが導電性液体と接触し、アクティブ状態にあるときの、導電性流体を通るイオンの移動または電流経路を示す図である。
【図２３Ａ】図２３の異種物質の表面の分解図である。
【図２３Ｂ】ｐＨセンサユニットを備える図２３の事象表示器システムを示す図である。
【図２４】図２１および２２のシステムで使用される制御デバイスの一態様を示す構成図である。
【図２５】一態様による、受信機内に存在し得るコヒーレント復調を実施する復調回路の機能構成図である。
【図２６】一態様による、受信機内のビーコンモジュールのための機能構成図である。
【図２７】一態様による、受信機内に存在し得る異なる機能モジュールの構成図である。
【図２８】一態様による受信機の構成図である。
【図２９】一態様による、受信機内の高周波シグナルチェーンの構成図である。
【図３０】一態様による、信号受信機および摂取可能事象マーカを含むシステムがどのように採用され得るかを示す図である。
【発明を実施するための形態】
【０００７】
さまざまな態様において、本開示は概して、別のデバイス、例えば、摂取可能デバイス、移植可能デバイス、摂取可能事象マーカ（ＩＥＭ）、ペースメーカー等の移植可能パルスジェネレータ、例えば特にステント、摂取可能または移植可能トランシーバ、から通信を検出するためにモバイルデバイスを採用する機器、システム、および方法に向けられている。一態様では、本開示は、従来型検出パッチを採用することなく別のデバイスからの通信を直接検出するためのモバイルデバイスに、有線および／または無線で接続し得る検出装置を提供する。（例えば２００９年１２月１５日に出願され、「ボディ・アソシエイテッド受信機及び方法」（Ｂｏｄｙ−Ａｓｓｏｃｉａｔｅｄ  Ｒｅｃｅｉｖｅｒ  ａｎｄ
Ｍｅｔｈｏｄ）を発明の名称とし、米国特許出願公開第２０１０／０３１２１８８号明細書として公開された明細書に記載されており、その開示は参照によってその全体が本明細書に組み込まれている。そのような受信機の例は、図２５〜３０に示されており、後述される。）一態様においては、検出回路モジュールはモバイルデバイスと一体化し得る。一態様では、検出回路モジュールは、モバイルデバイスと取外し可能に取り付け可能で、ハウジングおよび／またはクレードル内に一体化し得る。一態様では、検出回路モジュールは従来型デバイス内に一体化可能で、これはモバイルデバイスに有線および／または無線で接続し得る。一特定例では、検出回路モジュールは導電性流体との接触時、より具体的にはＩＥＭデバイスが患者によって摂取され、胃中の消化液と接触したときに、ＩＥＭデバイスによって生成される電流シグネチャに暗号化される情報を検出および受信するように構成される。そのようなＩＥＭデバイスの例は図２１〜２４に示されており、後述される。
【０００８】
「モバイルデバイス」という用語が、第１の通信を第１のデバイスから受信するため、そして第２の通信を第２のデバイスに送信するための通信ノードとして構成可能な任意のデバイスを概して言及することを理解されたい。一態様では、モバイルデバイスは、所与の設計パラメータセットあるいは性能上の制約に関して望ましいものとして、ハードウェア、ソフトウェア、あるいは任意のそれらの組み合わせとして実装されるさまざまな物理要素または論理要素を備え得る。さまざまな態様では、物理要素または論理要素は１つまたは複数の通信媒体により連結し得る。例えば、通信媒体は、所与の実装に望ましいものとして、有線通信媒体、無線通信媒体、あるいは両方の組み合わせを含み得る。
【０００９】
さまざまな態様において、モバイルデバイス、またはモバイルデバイスの物理要素もしくは論理要素等のモバイルデバイスの要素は、任意の好適なデバイスに一体化し得る。好適デバイスは、制限はなく、携帯情報端末（ＰＤＡ）、ラップトップコンピュータ、超ラップトップコンピュータ、携帯電話／ＰＤＡの組み合わせ、モバイルユニット、サブスクライバステーション、ユーザ端末、可搬型コンピュータ、ハンドヘルドコンピュータ、パームトップコンピュータ、ウェアラブルコンピュータ、メディアプレーヤ、メッセージングデバイス、データ通信デバイス、タブレットコンピュータ、電子書籍リーダ、携帯電話、ページャ、一方向ページャ、二方向ページャ、メッセージングデバイス、データ通信デバイス、人に着用されるように調整された手首コンピュータ、指コンピュータ、指輪コンピュータ、メガネコンピュータ、ベルトクリップコンピュータ、アームバンドコンピュータ、靴コンピュータ、衣服コンピュータ、および他のウェアラブルコンピュータ等のコンピュータ、メディアコントローラまたはマルチメディアコントローラ（例えば、オーディオおよび／またはビジュアル遠隔制御デバイス）、生理的データ等のデータの受け取りおよび例えばデータの送信、表示、記憶、および／または処理等の他のデータ関連機能の実施が可能なコンシューマおよびホームデバイス、機器等の高機能デバイス、冷蔵庫、はかり、トイレット、テレビ、ドアフレーム活動モニタ、ベッドサイドモニタ、ベッドスケール、携帯電話、可搬型電話、メガネ、補聴器、頭部着用品（例えば、帽子、キャップ、日よけ、ヘルメット、ゴーグル、耳おおい、ヘッドバンド）、手首バンド、宝石、家具、および／またはモバイルデバイスを実装するための適切な物理および／または論理要素を一体化するため、また第１のデバイスから第１の通信を受信し、第２の通信を第２のデバイスに送信するように構成され得る任意の好適な物体を含む。
【００１０】
本開示を通して使用される「薬物（ｍｅｄｉｃａｔｉｏｎ）」あるいは「処方薬（ｍｅｄｉｃｉｎａｌ  ｄｏｓｅ）」の用語は、限定されないが、さまざまな形式の摂取可能、吸入可能、注入可能、吸収可能、あるいは消費可能薬剤および／またはそのキャリア、例えば丸薬、カプセル、ジェルカプセル、偽薬、オーバーカプセル化のキャリアまたは媒介物、薬草、薬局（ＯＴＣ）薬品、サプリメント、医療用医薬品等のＩＥＭと共に服用されるものを含んでもよいことを理解されたい。
【００１１】
開示の明解化のために、本開示のこれらおよび他の態様を関連図と共に述べる。図１においては、摂取可能事象マーカ１０４（ＩＥＭデバイス）によって生成される電気信号を検出するためのモバイルデバイス１０２（例えば、第１のノード）を備えるシステム１００の一態様が示されている。図示されているように、患者１０６等の生体は、モバイルデバイス１０２と有線で連結されるイヤホン１１０形式の検出装置１０８を着用している。一態様では、検出装置１０８は右イヤホン１１０Ｒと左イヤホン１１０Ｌ等を備え、それぞれの導電性ケーブル１１２Ｒ、１１２Ｌによりモバイルデバイスと有線で接続されている。以下に、より詳細に述べられているように、電導性ケーブル１１２Ｒ、１１２Ｌはプラグと電気的に接続されており、プラグはモバイルデバイス１０２と対応するソケットまたはジャックコネクタにより受容されるように構成されている。
【００１２】
患者１０６がＩＥＭデバイス１０４を摂取すると、胃１１６内の消化液１１４はＩＥＭデバイス１０４に対して、例えばＩＥＭデバイス１０４を識別するデータ、投薬を識別するデータ等のさまざまなデータにおける特有の電流シグネチャの伝導を開始させる。ＩＥＭデバイスのさまざまな態様が同一出願人による出願として記載されており、「ファルマ・インフォーマティックス・システム」（Ｐｈａｒｍａ−Ｉｎｆｏｒｍａｔｉｃｓ  Ｓｙｓｔｅｍ）を発明の名称とし、国際公開第２００６／１１６７１８号パンフレットとして公開された国際特許出願第ＰＣＴ／ＵＳ２００６／１６３７０号明細書、「摂取型識別子起動制御」（Ｃｏｎｔｒｏｌｌｅｄ  Ａｃｔｉｖａｔｉｏｎ  Ｉｎｇｅｓｔｉｂｌｅ  Ｉｄｅｎｔｉｆｉｅｒ）を発明の名称とし、国際公開第２００８／０５２１３６号パンフレットとして公開された国際特許出願第ＰＣＴ／ＵＳ２００７／８２５６３号明細書、「アクティブ・シグナル・プロセッシング・パーソナル・ヘルス・シグナル・レシーバ」（Ａｃｔｉｖｅ  Ｓｉｇｎａｌ  Ｐｒｏｃｅｓｓｉｎｇ  Ｐｅｒｓｏｎａｌ  Ｈｅａｌｔｈ  Ｓｉｇｎａｌ  Ｒｅｃｅｉｖｅｒｓ）を発明の名称とし、国際公開第２００８／６３６２６号パンフレットとして公開された国際特許出願第ＰＣＴ／ＵＳ２００７／２４２２５号明細書、「医療デバイスのための低電圧オシレータ」（Ｌｏｗ  Ｖｏｌｔａｇｅ  Ｏｓｃｉｌｌａｔｏｒ  ｆｏｒ  Ｍｅｄｉｃａｌ  Ｄｅｖｉｃｅｓ）を発明の名称とし、国際公開第２００８／０６６６１７号パンフレットとして公開された国際特許出願第ＰＣＴ／ＵＳ２００７／２２２５７号明細書、「摂取可能事象マーカシステム」（Ｉｎｇｅｓｔｉｂｌｅ  Ｅｖｅｎｔ  Ｍａｒｋｅｒ  Ｓｙｓｔｅｍｓ）を発明の名称とし、国際公開第２００８／０９５１８３号パンフレットとして公開された国際特許出願第ＰＣＴ／ＵＳ２００８／５２８４５号明細書、「高表面積電極を有するインボディ電源」（Ｉｎ−Ｂｏｄｙ  Ｐｏｗｅｒ  Ｓｏｕｒｃｅ  Ｈａｖｉｎｇ  Ｈｉｇｈ  Ｓｕｒｆａｃｅ  Ａｒｅａ  Ｅｌｅｃｔｒｏｄｅ）を発明の名称とし、国際公開第ＷＯ／２００８／１０１１０７として公開された国際特許出願第ＰＣＴ／ＵＳ２００８／５３９９９号明細書、「多方向送信機を有するインボディ・デバイス」（Ｉｎ−Ｂｏｄｙ  Ｄｅｖｉｃｅ  Ｈａｖｉｎｇ  ａ  Ｍｕｌｔｉ−Ｄｉｒｅｃｔｉｏｎａｌ  Ｔｒａｎｓｍｉｔｔｅｒ）を発明の名称とし、国際公開第２００８／１１２５７７号パンフレットとして公開された国際特許出願第ＰＣＴ／ＵＳ２００８／５６２９６号明細書、「展開型アンテナを有するインボディ・デバイス」（Ｉｎ−Ｂｏｄｙ  Ｄｅｖｉｃｅ  Ｈａｖｉｎｇ  Ｄｅｐｌｏｙａｂｌｅ  Ａｎｔｅｎｎａ）を発明の名称とし、国際公開第２００８／１１２５７８号パンフレットとして公開された国際特許出願第ＰＣＴ／ＵＳ２００８／５６２９９号明細書、および「仮想ダイポール信号増幅を有するインボディ・デバイス」（Ｉｎ−Ｂｏｄｙ  Ｄｅｖｉｃｅ  ｗｉｔｈ
Ｖｉｒｔｕａｌ  Ｄｉｐｏｌｅ  Ｓｉｇｎａｌ  Ａｍｐｌｉｆｉｃａｔｉｏｎ）を発明の名称とし、国際公開第２００９／０４２８１２号パンフレットとして公開された国際特許出願第ＰＣＴ／ＵＳ２００８／７７７５３号明細書に開示されている。これらの出願の開示は参照によって本明細書に組み込まれる。また、「高性能非経口配達システム」（Ｓｍａｒｔ  Ｐａｒｅｎｔｅｒａｌ  Ｄｅｌｉｖｅｒｙ  Ｓｙｓｔｅｍｓ）を発明の名称とし、国際特許公開第２００８／００８２８１号パンフレットとして公開された国際特許出願第ＰＣＴ／ＵＳ２００７／０１５５４７号明細書において記載されており、先行する開示のそれぞれは参照によってその全体が本明細書に組み込まれる。ＩＥＭデバイス１０４は、胃１１６内の消化液１１４により、消費される過程で導通する。さまざまな態様では、ＩＥＭデバイス１０４は消費されている間に、継続的にまたは断続的に通信を行うように構成され得る。さらに、ＩＥＭデバイス１０４は全体的にまたは部分的に消費され得る。さまざまな態様では、例えば、ＩＥＭデバイス１０４またはその構成要素は患者の器官を通過し得る。他の態様では、ＩＥＭデバイス１０４は選択的に起動、停止および／または再起動するように構成され得る。典型的なＩＥＭデバイス１０４の構造および動作は、図２１に関連して後により詳細に説明される。消化液１１４中で分解中のＩＥＭデバイス１０４によって生成される電流シグネチャは、患者１０６と接続される検出装置１０８により検出可能である。イヤホン１１０Ｒ、１１０Ｌのそれぞれは、右イヤホン１１０Ｒに関しては図３Ａ、３Ｂに示されているように導電性電極部分３００Ｒを備えている。
【００１３】
ここで図１、３Ａ、および３Ｂを参照すると、右イヤホン１１０Ｒの導電性電極部分３００Ｒおよび左イヤホン１１０Ｌの３００Ｌ（図示せず）は、患者１０６の皮膚と接続され、溶解中のＩＥＭデバイス１０４によって生成される微小な電流シグネチャを検出する。電極３００Ｒ、３００ＬはＩＥＭデバイス１０４（図１および２）信号をモバイルデバイス１０２内の検出回路と電気的に接続する。イヤホン１１０Ｒ、１１０Ｌの形式の検出装置１０８を使用してＩＥＭデバイス１０４の摂取の定期的検出をサポートし得る。
【００１４】
使用時には、患者１０６はイヤホン１１０Ｒ、１１０Ｌを対応する耳に挿入し、プラグをモバイルデバイス１０２上に位置する対応するコネクタと連結する。電極３００は患者１０６の皮膚に接触し、ＩＥＭデバイス１０４によって生成される電流信号をピックアップする。検出装置が配置されると、モバイルデバイス１０２上でアプリケーションが開始され、患者１０６は薬物を服用し、薬物にはＩＥＭデバイス１０４が含まれている。アプリケーションは、イヤホン１１０Ｒ、１１０Ｌ、電極３００等の検出時に自動的に開始されてもよいし、またはマウスの移動およびクリック、押しボタンスイッチの差動、仮想押しボタンスイッチの差動、音声認識、バイブレーション、ユーザインターフェース画面のタップ、デバイスの向き等の従来型技術を使用してユーザの選択により開始されてもよい。ＩＥＭデバイス１０４が胃１１６に到達すると、消化液１１４中で溶解が始まり、特有の電流シグネチャの通信を開始し、これはイヤホン１１０Ｒ、１１０Ｌ上に位置する電極３００によって検出される。信号はモバイルデバイス１０２内の検出回路と接続され、ＩＥＭデバイス１０４の摂取が確認されるか、またはアプリケーションが検出無しの理由で単にタイムアウトする。患者１０６はその後イヤホン１１０Ｒ、１１０Ｌを取り外すのは自由となる。一態様では、イヤホン１１０Ｒ、１１０Ｌは音を聞くのにも使用でき、患者１０６はＩＥＭデバイス１０４がモバイルデバイス１０２により検出されるのを待ちながら、音楽、ニュース、あるいはその他の音声を聞いていてもよい。別の態様では、プロセスの終わりにおいて、可聴信号は患者１０６に対してイヤホン１１０Ｒ、１１０Ｌを取り外すことを通知してもよい。
【００１５】
検出装置１０８のフォームファクタが、患者１０６が容易に検出装置１０８と対話でき、検出装置１０８の着用に関連する羞恥心を感じないよう、見慣れた物体に見えるように構成されることを理解されたい。イヤホン１１０Ｒ、１１０Ｌは、人々がかなりよく知っており、よく使用する標準的な日常の電子機器に溶け込むため、人に見られる治療が必要なことについて羞恥心をもたらさないであろう。
【００１６】
一態様では、検出電極３００が検出可能事象の発生前に確実に配置されるようにするために、患者１０６はＩＥＭデバイス１０４を含む処方薬を服用する前に、イヤホン１１０Ｒ、１１０Ｌを着用するように命じられてもよい。これはまた、患者１０６が処方薬を服用した後に気を取られ、イヤホン１１０Ｒ、１１０Ｌに関連する検出電極３００の取り付けを忘れるという可能性を最小化する。これはまた、検出が失敗し、性急に検出装置を探すという心配を最小化する。本明細書内に記述される技術は、患者１０６の手を、処方薬のその後の取り扱い、および、検出が発生するのを待つ間、処方薬服用後の活動のために解放する。
【００１７】
図１に戻って参照すると、モバイルデバイス１０２はＩＥＭ１０４によって生成される特有の電流シグネチャの検出のための第１のノードとして活動する。ＩＥＭデバイス１０４によって生成される特有の電流シグネチャの検出に応答し、モバイルデバイス１０２はいくつかの機能を実施し得る。一態様では、モバイルデバイス１０２は特有の電流シグネチャが検出されたときの時刻と日付とを記憶し、これは患者１０６によってＩＥＭデバイス１０４が摂取されたときの時刻と日付とに略対応する。さらに、モバイルデバイス１０２は特有の電流シグネチャに符号化されている情報を記憶し得る。例えば、限定されないが、特にＩＥＭデバイス１０４のＩＤ、ＩＥＭデバイス１０４に関連する薬物のタイプ、薬物および／またはＩＥＭデバイス１０４の製造者の情報が、特有の電流シグネチャにより符号化され得る。
【００１８】
モバイルデバイス１０２は、ＩＥＭデバイス１０４と関連する検出情報を無線ノード１２０（例えば、第２のノード）に送信し得る。無線ノード１２０は、例えば、無線能力を有するモバイルステーションまたは固定局を含み得る。無線ノード１２０の例は、モバイルデバイス１０２のために与えられるすべての例も含み、さらに、無線アクセスポイント、基地局またはノード、基地局無線／トランシーバ、ルータ、スイッチ、ハブ、ゲートウェイ、等を含み得る。一態様では、例えば、無線ノード１２０はセルラー無線電話通信システムのための基地局を含み得る。いくつかの態様は、例を通して、無線ノード１２０が基地局として実装された形で記述されるが、他の無線デバイスも使用して他の態様が実装されてもよい。無線ノード１２０は、通信ハブ、アクセスポイント、別のモバイルデバイス等であり得る。したがって、無線ノード１２０は、ＩＥＭデバイス１０４から受信された情報をノード１２２と通信するためのインターネット等のワイドエリアネットワークとのローカルアクセスポイントとして活動してもよく、これは例えば各モバイルデバイス１０２および無線ノード１２０等の第１のおよび第２のノードから遠隔配置される。リモートノード１２２は健康管理施設（医院、病院、薬局）、製薬業者、栄養センター、バックエンド患者健康管理データ処理施設等である。
【００１９】
一態様では、モバイルデバイス１０２は無線媒体１２４を介して無線ノード１２０と通信を行う。さまざまな態様においては、モバイルデバイス１０２および無線ノード１２０は無線デバイスを含むことが可能か、または無線デバイスを実装可能である。無線デバイスは一般的に、所与のセットの設計パラメータあるいは性能上の制約の要求に従い、ハードウェア、ソフトウェア、あるいはそれらの任意の組み合わせとして実装されるさまざまな物理的要素または論理的要素を含むことが可能である。さまざまな態様では、物理的要素または論理的要素は、１つまたは複数の通信媒体により連結し得る。例えば、通信媒体は、所与の実装要求により、有線通信媒体、無線通信媒体、あるいは両者の組み合わせを含み得る。
【００２０】
さまざまな実装において、モバイルデバイス１０２および／または無線ノード１２０の記述された態様は、セルラー通信システム部分を含み得る。一態様では、モバイルデバイス１０２および無線ノード１２０はセルラー無線電話システムの異なるタイプに従って、音声および／またはデータ通信機能を提供し得る。セルラー通信システムの例は、符号分割多元接続（ＣＤＭＡ）セルラー無線電話通信システム、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ：登録商標）セルラー無線電話システム、ＮＡＤＣ（Ｎｏｒｔｈ  Ａｍｅｒｉｃａｎ  Ｄｉｇｉｔａｌ  Ｃｅｌｌｕｌａｒ）セルラー無線電話システム、時分割多元接続（ＴＤＭＡ）セルラー無線電話システム、Ｅ−ＴＤＭＡ（Ｅｘｔｅｎｄｅｄ−ＴＤＭＡ）セルラー無線電話システム、ＮＡＭＰＳ（Ｎａｒｒｏｗｂａｎｄ  Ａｄｖａｎｃｅｄ  Ｍｏｂｉｌｅ  Ｐｈｏｎｅ  Ｓｅｒｖｉｃｅ）セルラー無線電話システム、３ＧＰＰ（Ｔｈｉｒｄ−Ｇｅｎｅｒａｔｉｏｎ  Ｐａｒｔｎｅｒｓｈｉｐ  Ｐｒｏｊｅｃｔ）に準拠しているＷＣＤＭＡ（Ｗｉｄｅ−ｂａｎｄ  ＣＤＭＡ：登録商標）、ＣＤＭＡ−２０００、ＵＭＴＳ（Ｕｎｉｖｅｒｓａｌ  Ｍｏｂｉｌｅ  Ｔｅｌｅｐｈｏｎｅ  Ｓｙｓｔｅｍ）セルラー無線電話システムなどの第３世代（３Ｇ）システム、第４世代システム（４Ｇ）などを含み得る。
【００２１】
音声通信サービスに加え、モバイルデバイス１０２および無線ノード１２０は、いくつかの異なる無線ワイドエリアネットワーク（ＷＷＡＮ）データ通信サービスを使用して通信を行うように設定し得る。ＷＷＡＮデータ通信サービスを提供するセルラーデータ通信システムの例は、ＧＳＭ／ＧＰＲＳ（ＧＳＭ  ＷＩＴＨ  Ｇｅｎｅｒａｌ  Ｐａｃｋｅｔ
Ｒａｄｉｏ  Ｓｅｒｖｉｃｅ（ＧＰＲＳ））システム、ＣＤＭＡ／１ｘＲＴＴシステム、ＥＤＧＥ（Ｅｎｈａｎｃｅｄ  Ｄａｔａ  Ｒａｔｅｓ  ｆｏｒ  Ｇｌｏｂａｌ  Ｅｖｏｌｕｔｉｏｎ）システム、ＥＶ−ＤＯ（Ｅｖｏｌｕｔｉｏｎ  Ｄａｔａ  Ｏｎｌｙ  ｏｒ
Ｅｖｏｌｕｔｉｏｎ  Ｄａｔａ  Ｏｐｔｉｍｉｚｅｄ）システム、ＥＶ−ＤＶ（Ｅｖｏｌｕｔｉｏｎ  Ｆｏｒ  Ｄａｔａ  ａｎｄ  Ｖｏｉｃｅ）システム、高速ダウンリンクパケット接続（ＨＳＤＰＡ）システム等を含み得る。
【００２２】
一態様では、無線ノード１２０は有線通信媒体により追加ノードおよび他のネットワークとの連結部と連結可能で、これには公衆交換電話網（ＰＳＴＮ）等の音声／データネットワーク、インターネット、ローカルエリアネットワーク（ＬＡＮ）、メトロポリタンエリアネットワーク（ＭＡＮ）、ワイドエリアネットワーク（ＷＡＮ）、エンタープライズネットワーク、プライベートネットワーク等のパケットネットワークが含まれる。一態様では、例えば、ネットワーク１３０は、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等のＩＥＴＦ（Ｉｎｔｅｒｎｅｔ  Ｅｎｇｉｎｅｅｒｉｎｇ  Ｔａｓｋ  Ｆｏｒｃｅ）により規定される１つまたは複数のインターネットプロトコルに従って情報の通信を行うように用意されてもよい。ネットワークは、基地局、モバイル加入者センター、中央オフィス、等の他のセルラー無線電話システム基幹施設および装置を含んでもよい。
【００２３】
さまざまな態様において、モバイルデバイス１０２および無線ノード１２０は音声および／またはデータ通信も可能である。モバイルデバイス１０２および無線ノード１２０間の通信はいくつかの無線プロトコルに従って無線共用媒体１２４を介して実施し得る。無線プロトコルの例は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１１ａ／ｂ／ｇ／ｎ、ＩＥＥＥ  ８０２．１６、ＩＥＥＥ  ８０２．２０等のＩＥＥＥ８０２．ｘｘの一連のプロトコルを含むさまざまな無線ローカルエリアネットワーク（ＷＬＡＮ）プロトコルを含み得る。無線プロトコルの他の例は、ＧＰＲＳを備えたＧＳＭセルラー無線電話システムプロトコル、１ｘＲＴＴを備えたＣＤＭＡセルラー無線電話通信システム、ＥＤＧＥシステム、ＥＶ−ＤＯシステム、ＥＶ−ＤＶシステム、ＨＳＤＰＡシステム等のさまざまなＷＷＡＮプロトコルを含み得る。無線プロトコルのさらなる例は、赤外線プロトコル、１つまたは複数のＢｌｕｅｔｏｏｔｈプロファイルに加え、Ｂｌｕｅｔｏｏｔｈ（登録商標）のバージョンｖ１．０、ｖ１．１、ｖ１．２、ｖ２．０、Ｅｎｈａｎｃｅｄ  Ｄａｔａ  Ｒａｔｅ（ＥＤＲ）を備えたｖ２．０の仕様を含むＢｌｕｅｅｔｏｏｔｈ  ＳＩＧ（Ｂｌｕｅｔｏｏｔｈ  Ｓｐｅｃｉａｌ  Ｉｎｔｅｒｅｓｔ  Ｇｒｏｕｐ）の一連のプロトコルからの１つのプロトコル等の無線パーソナルエリアネットワーク（ＰＡＮ）プロトコルを含み得る。一態様では、Ｂｌｕｅｔｏｏｔｈ無線技術は、固定およびモバイルデバイスにおいて２４００−２４８０ＭＨｚの産業界、科学、および医学（ＩＳＭ）無線バンドにおける短波長無線送信を使用し、高レベルのセキュリティを備えるパーソナルエリアネットワーク（ＰＡＮｓ）を生成している。無線プロトコルのさらに別の例は、電磁誘導（ＥＭＩ）技術等の近場通信技術及びプロトコルを含み得る。ＥＭＩ技術の一例は、パッシブ型又はアクティブ型のＲＦＩＤ（Ｒａｄｉｏ  Ｆｒｅｑｕｅｎｃｙ  Ｉｄｅｎｔｉｆｉｃａｔｉｏｎ）プロトコルおよび装置を含み得る。他の好適なプロトコルは、超広帯域無線（ＵＷＢ）、デジタルオフィス（ＤＯ）、デジタルホーム、ＴＰＭ（Ｔｒｕｓｔｅｄ  Ｐｌａｔｆｏｒｍ  Ｍｏｄｕｌｅ）、ＺｉｇＢｅｅ（登録商標）、および他のプロトコルを含む。
【００２４】
さまざまな態様において、モバイルデバイス１０２は１つまたは複数のアプリケーションクライアントモジュールを有してよい。一態様では、アプリケーションクライアントモジュールは検出装置１０８から情報を受信し、その情報を処理して患者１０６がＩＥＭデバイス１０４を摂取したことを確認する。アプリケーションクライアントモジュールは、ＩＥＭデバイス１０４が検出された時刻および日付を記録し、これはおよそＩＥＭデバイス１０４が患者１０６によって摂取されたときの時刻および日付に相当する。さらに、クライアントアプリケーションモジュールは、他の情報の中でも、ＩＥＭデバイス１０４のアイデンティティ、ＩＥＭデバイス１０４に伴う薬物のタイプ、薬物および／またはＩＥＭデバイス１０４の製造者等の特有の電流シグネチャに符号化された情報を記憶し得る。いくつかの態様では、クライアントアプリケーションモジュールは患者１０６に関連する摂取可能事象を追跡するデータロギング機能を実装し得る。クライアントアプリケーションモジュールは他のデバイスおよび／またはネットワークとの通信を開始することができる。
【００２５】
他のクライアントアプリケーションモジュールは、ネットワーク（例えば、サーバ）からの情報を検索および処理し、その情報をディスプレイ上に表示するか、スピーカにより情報を可聴的に通知するように設定し得る。モバイルデバイス１０２は１つまたは複数のアプリケーションクライアントプログラムを実行するため、およびサードパーティのソフトウェアクライアントプログラムと一体化するために、適合可能なオープンプラットフォームとして実装し得る。アプリケーションクライアントモジュールは例えば、ウェブ関連および無線サービス等の既存データソースまたはバックエンドサービスとの必要なインターフェースを提供し、ＧＰＳナビゲーションモジュールをサポートし、ブラウザベースのコンテンツを処理し、さらに１つまたは複数の無線モバイルコンピューティングデバイスおよびウェブアプリケーション等と動作してもよい。一態様では、アプリケーションクライアントモジュールはＡＰＩを介してサードパーティのアプリケーションクライアントプログラムと一体化し、例えば、地理座標、地図インターフェース、検索エンジンへの照会等の場所情報を検索してもよいし、サードパーティのロケーションベースサービス（ＬＢＳ）、およびサーバを介して提供される任意の他のサービス等とインターフェースをとってもよい。アプリケーションクライアントモジュールは、照会検索、結果検索、地図表示（例えば、ズーム／パン）、進路変更指示の提供、音声起動式進路変更指示の提供、およびＬＢＳタイプ場所情報に関する許可ベースインターフェースの提供を特に処理するためのユーザインターフェース層を含んでもよい。アプリケーションクライアントモジュールは、例えば、位置情報、ポイントオブインターフェース（ＰＯＩ）データ、および地図データを処理するためのデータ抽出層の処理を行うためのインターフェース層を含んでもよい。アプリケーションクライアントモジュールはさまざまなデータソースあるいはネットワーク（例えば、サーバ）を通して分配されるバックエンドサービスからのデータを処理してもよく、これらは、例えば特に、モバイルデバイス５００上に、あるいは切り離されて配置されたＧＰＳ一体型回路、キャリアＡＧＰＳ、さまざまな多くの検索エンジン（例えば、ＧＯＯＧＬＥ（登録商標）、ＹＡＨＯＯ（登録商標）、等）、ベクトルデータ、タイルデータである。タイルデータは、通常は長方形の性質をもつ、イメージの小区域を表現する空間ユニットとして定義可能で、これにより地理データが組織され、分割され、そして地図ライブラリ内に記録されるということは、当業者により評価されるであろう。
【００２６】
一態様では、例えば、モバイルデバイス１０２は通信ネットワークから情報を検索し処理するためのソフトウェアアーキテクチャを採用し得る。ソフトウェアアーキテクチャは、例えばモバイルデバイス１０２を、ネットワークおよびサーバからの情報を通信し、処理することを可能にし得る。ソフトウェアアーキテクチャは構成要素の実装を含み、ＡＰＩ等の標準的なプログラマチックインターフェースを指定し、アプリケーションクライアントと多数のデータソースサーバ間との無線による情報検索の共通要件を支援する。その結果、ソフトウェアアーキテクチャは、アプリケーションクライアントが異種のデータプロバイダとの情報の授受を可能にする方法を提供し得る。
【００２７】
一態様では、例えば、ソフトウェアアーキテクチャはオブジェクト指向プログラミング（ＯＯＰ）技術を使用して実装し得る。ＯＯＰはコンピュータプログラミングパラダイムである。ＯＯＰは、コンピュータプログラムは個々のユニット、あるいはオブジェクトの集まりで構成されることを想定し、これは、プログラムはコンピュータに対する命令のリストであるとの伝統的な想定とは反対である。各オブジェクトは、メッセージの受信、データの処理、および他のオブジェクトへのメッセージの送信を行うことが出来る。ほとんどいかなる概念も、オブジェクトとして表現し得る。オブジェクトの例は、メニューオブジェクト、イメージオブジェクト、フレームオブジェクト、タイトルオブジェクト、ボーダオブジェクト、タブオブジェクト、リストオブジェクト、カラーブルーオブジェクト、ボタンオブジェクト、スクロールバーオブジェクト、入力フィールドオブジェクト、テキストおよびイメージオブジェクト、等を含み得る。ソフトウェアアーキテクチャは例を通してＯＯＰの文脈内で記述し得るが、他のソフトウェアパラダイムが所与の実装に望まれて使用し得ることは評価され得る。例えば、ソフトウェアアーキテクチャは、モデルビューコントローラ（ＭＶＣ）構造を使用しても実装し得る。態様はこの文脈において限定されない。
【００２８】
図示されているように、無線ノード１２０はオプションのディスプレイ１２６を含み得る。ディスプレイ１２６は、液晶ディスプレイ（ＬＣＤ）、容量性タッチスクリーンパネル、等のいかなるタイプの視覚インターフェースを使用しても実装し得る。
【００２９】
示されているように、無線ノード１２０はメモリ１２８を備え得る。さまざまな態様において、メモリ１２８はデータを記憶可能なあらゆる機械可読またはコンピュータ可読媒体を備えることが可能で、揮発性および不揮発性メモリの両方が含まれる。例えば、メモリは、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＤＲＡＭ（Ｄｙｎａｍｉｃ  ＲＡＭ）、ＤＤＲ−ＤＲＡＭ（Ｄｏｕｂｌｅ−Ｄａｔａ−Ｒａｔｅ  ＤＲＡＭ）、ＳＤＲＡＭ（Ｓｙｎｃｈｒｏｎｏｕｓ  Ｄｒａｍ）、ＳＲＡＭ（Ｓｔａｔｉｃ  ＲＡＭ）、プログラマブルＲＯＭ（ＰＲＯＭ）、ＥＰＲＯＭ（Ｅｒａｓａｂｌｅ  Ｐｒｏｇｒａｍｍａｂｌｅ  ＲＯＭ）、ＥＥＰＲＯＭ(Ｅｌｅｃｔｒｉｃａｌｌｙ  Ｅｒａｓａｂｌｅ  Ｐｒｏｇｒａｍｍａｂｌｅ  ＲＯＭ）、フラッシュメモリ（例えば、ＮＯＲまたはＮＡＮＤフラッシュメモリ）、連想メモリ（ＣＡＭ）、ポリマメモリ（例えば、強誘電性ポリマメモリ）、相変化メモリ（例えば、オボニックメモリ）、強誘電性メモリ、ＳＯＮＯＳ（Ｓｉｌｉｃｏｎ−Ｏｘｉｄｅ−Ｎｉｔｒｉｄｅ−Ｏｘｉｄｅ−Ｓｉｌｉｃｏｎ）メモリ、ディスクメモリ（例えば、フレキシブルディスク、ハードドライブ、光ディスク、磁気ディスク）、もしくはカード（例えば、磁気カード、光カード）、または情報を記憶するために好適な他のあらゆるタイプの媒体を含み得る。
【００３０】
無線ノード１２０は中央演算処理装置（ＣＰＵ）等のプロセッサ１３０を備え得る。さまざまな態様では、プロセッサ１３０は、汎用プロセッサ、チップマルチプロセッサ（ＣＭＰ）、専用プロセッサ、埋め込みプロセッサ、デジタル信号プロセッサ（ＤＳＰ）、ネットワークプロセッサ、メディアプロセッサ、入力／出力（Ｉ／Ｏ）プロセッサ、メディアアクセス制御（ＭＡＣ）プロセッサ、無線ベースバンドプロセッサ、コプロセッサ、複合命令セットコンピュータ（ＣＩＳＣ）マイクロプロセッサ、縮小命令セットコンピュータ（ＲＩＳＣ）マイクロプロセッサ、および／もしくは超長命令語（ＶＬＩＷ）マイクロプロセッサ等のマイクロプロセッサ、またはその他の処理装置として実装し得る。プロセッサ５１０は、コントローラ、マイクロコントローラ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ）、プログラマブルロジックデバイス（ＰＬＤ）等によっても実装され得る。
【００３１】
さまざまな態様では、プロセッサ１３０はオペレーティングシステム（ＯＳ）およびさまざまなモバイルアプリケーションを実行するためにアレンジし得る。ＯＳの例は、例えば、マイクロソフト社のウインドウズ（登録商標）ＯＳの製品名で一般的に知られるオペレーティングシステム、および他のあらゆる独自開発物またはオープンソースのＯＳを含む。モバイルアプリケーションの例は、例えば、電話アプリケーション、カメラ（例えば、デジタルカメラ、ビデオカメラ）アプリケーション、ブラウザアプリケーション、マルチメディアプレーヤアプリケーション、ゲームアプリケーション、メッセージングアプリケーション（例えば、Ｅメール、ショートメッセージ、マルチメディア）、ビューアアプリケーション等を含む。
【００３２】
さまざまな態様では、プロセッサ１３０は通信インターフェース１３２を通して情報を受信するためにアレンジし得る。通信インターフェース１３２は、無線ノード１２０を１つまたは複数のネットワークおよび／またはデバイスに接続可能なあらゆる好適なハードウェア、ソフトウェア、あるいはハードウェアとソフトウェアの組み合わせを含み得る。一態様では、無線ノード１２０は無線媒体１２４を介してモバイルデバイス１０２と無線通信を行う。無線ノード１２０は、有線通信媒体１３４または無線通信媒体１３６を介して、リモートノード１２２とも通信し得る。通信インターフェース１３２は、望ましいセットの通信プロトコル、サービス、あるいは操作手順を使用して情報信号を制御するために、任意の好適技術を使用して動作するようにアレンジし得る。通信インターフェース１３８は、有線あるいは無線により、対応する通信媒体と連結するための適切な物理コネクタを含み得る。
【００３３】
通信の媒介物はネットワークを含む。さまざまな態様では、ネットワークは、ＷＡＮと同様にＬＡＮを含むことが可能で、それらに含まれるのは、限定されないが、インターネット、有線チャンネル、無線チャンネル、電話、コンピュータ、有線、無線、光あるいは他の電気磁気チャネルを含む通信デバイス、データ通信可能な／データ通信に関連する、他のデバイスおよび／または構成要素を含むそれらの組み合わせである。例えば、通信環境は、体内通信、さまざまなデバイス、無線通信、有線通信、およびそれらの組み合わせ等のさまざまなモードの通信を含む。
【００３４】
無線通信モードは、少なくとも一部が、無線送信、データ、およびデバイスと関連するさまざまなプロトコルならびにプロトコルの組み合わせを含む無線技術を利用するポイント間の通信における任意のモードを含む。ポイントは、例えば、無線ヘッドセット等の無線デバイス、オーディオプレーヤおよびマルチメディアプレーヤ等のオーディオおよびマルチメディアデバイスおよび機器、携帯電話およびコードレス電話を含む電話、およびタブレットコンピュータ、プリンタ等のコンピュータおよびコンピュータ関連デバイスおよび構成要素を含む。
【００３５】
有線通信モードは、有線送信、データ、およびデバイスと関連するさまざまなプロトコルならびにプロトコルの組み合わせを含む有線技術を利用するポイント間の通信における任意のモードを含む。ポイントは、例えば、オーディオおよびマルチメディアデバイス等のデバイスと、オーディオプレーヤおよびマルチメディアプレーヤ等の機器と、携帯電話およびコードレス電話を含む電話と、タブレットコンピュータと、プリンタ等のコンピュータと、コンピュータ関連デバイスおよび構成要素とを含む。
【００３６】
従って、さまざまな態様では、通信インターフェース１３８は、例えば、無線通信インターフェース、有線通信インターフェース、ネットワークインターフェース、送信インターフェース、受信インターフェース、メディアインターフェース、システムインターフェース、コンポーネントインターフェース、スイッチングインターフェース、チップインターフェース、コントローラ、等の１つまたは複数のインターフェースを含み得る。無線デバイスにより、または無線システム内に実装されたとき、例えば、ローカルノード１２０は、１つまたは複数のアンテナ１３３、送信機、受信機、トランシーバ、増幅器、フィルタ、制御ロジック等を含む無線通信インターフェース１３２を含み得る。
【００３７】
さまざまな態様では、無線ノード１２０は、モバイルデバイス１０２から受信されたデータの無線送信および／または無線受信を行う機能を備え、そのデータを、例えば、外部ノード１２２または他の近隣ノード等の他のノードへ送信し得る。さらに、さまざまな態様では、無線ノード１２０はさまざまなデバイスを組み込み、および／または関連付けられ、例えば通信が可能である。そのようなデバイスは、例えば生理的データ等のデータの生成、受信、および／または通信を行い得る。デバイスは例えば、ゲームデバイス等の「高機能」デバイスを含み、例えば、電子スロットマシン、ハンドヘルド電子ゲーム、ゲームおよびレクリエーション活動に関連する電子構成要素である。
【００３８】
電話の標準音声機能に加え、携帯電話のさまざまな態様は、多くの追加サービスおよびアクセサリをサポート可能で、それらはテキストメッセージングのためのショートメッセージサービス（ＳＭＳ）、Ｅメール、インターネットにアクセスするためのパケットスイッチング、ｊａｖａゲーム、無線、例えば、近距離データ／音声通信、赤外線、ビデオレコーダ付カメラ、ならびに写真およびビデオを送受信するためのマルチメディアメッセージングシステム（ＭＭＳ）等である。携帯電話のいくつかの態様は、基地局（セルサイト）のセルラーネットワークと連結し、そしてこれは公衆交換電話網（ＰＳＴＮ）または衛星電話のケースでは衛星通信に相互接続される。携帯電話のさまざまな態様はインターネットと連結可能で、少なくともその一部は携帯電話を使用してナビゲート可能である。
【００３９】
いくつかの態様は例えば、機械によって実行された場合にその機械を態様に従って方法および／または動作を実施させ得る命令または命令セットを記憶し得る機械可読媒体あるいは製品を例えば使用して実装し得る。そのような機械は、例えば、任意の好適な処理プラットフォーム、コンピューティングプラットフォーム、コンピューティングデバイス、処理デバイス、コンピューティングシステム、処理システム、コンピュータ、プロセッサ等を含んでよく、また任意のハードウェアおよび／またはソフトウェアの好適な組み合わせを使用して実装されてもよい。機械可読媒体あるいは製品は、例えば、任意の好適なタイプのメモリユニット、メモリデバイス、メモリ製品、メモリ媒体、ストレージデバイス、ストレージ製品、ストレージ媒体および／または格納ユニット、例えば、メモリ、取り外し可能または取り外し不可能媒体、消去可能または消去不可媒体、書き込み可能または書き換え可能媒体、デジタルまたはアナログ媒体、ハードディスク、フレキシブルディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＣＤ−Ｒ（Ｃｏｍｐａｃｔ  Ｄｉｓｋ  Ｒｅｃｏｒｄａｂｌｅ）、ＣＤ−ＲＷ（Ｃｏｍｐａｃｔ  Ｄｉｓｋ  Ｒｅｗｒｉｔａｂｌｅ）、光ディスク、磁気媒体、光磁気媒体、取り外し可能メモリカードあるいはディスク、さまざまなタイプのＤＶＤ（Ｄｉｇｉｔａｌ  Ｖｅｒｓａｔｉｌｅ  Ｄｉｓｋ）、テープ、カセット等を含み得る。命令は、ソースコード、コンパイル済みコード、解釈済みコード、実行可能コード、静的コード、動的コード、等の任意の好適なタイプのコードを含み得る。命令は、任意の好適な高級、低級、オブジェクト指向、ビジュアル、コンパイルおよび／またはインタプリタプログラミング言語、これは例えばＣ、Ｃ＋＋、Ｊａｖａ（登録商標）、ＢＡＳＩＣ、Ｐｅｒｌ、Ｍａｔｌａｂ（登録商標）、Ｐａｓｃａｌ、Ｖｉｓｕａｌ  ＢＡＳＩＣ（登録商標）、装置言語、マシンコード等を使用して実装し得る。
【００４０】
一態様では、無線ノード１２０は通信ハブとして構成してもよく、そして、概してモバイルデバイス１０２から受信された情報をリモートノード１２２と通信するために機能するシステム、サブシステム、およびそれらの組み合わせと同様に、任意のハードウェアデバイス、ソフトウェア、および／または通信構成要素を含むことができる。情報の通信は、受信、記憶、操作、表示、処理、および／または有線もしくは無線媒体１３４、１３６を介してデータをリモートノード１２２に送信することを含む。
【００４１】
さまざまな態様では、無線ノード１２０は非生理的データの通信、例えば受信および送信、のためにも機能する。非生理的データの例は、ゲームルールと、および移植されたペースメーカー等の別個の心臓病関連デバイスによって生成されたデータ、および例えばモバイルデバイス１０２を介して直接的または間接的にハブ（ローカルノード１２０）に通信されるデータを含む。
【００４２】
モバイルデバイス１０２および／または無線ノード１２０のそれぞれの幅広いカテゴリは、例えば、基地局、個人用通信デバイス、ハンドヘルドデバイス、携帯電話、および音声通信および／またはデータ通信と同様に、コンピュータアプリケーションも実行可能なスマートフォンとして一般的に知られる無線機能を有するモバイルコンピューティングデバイスを含む。モバイルコンピューティングデバイスの例は、任意のタイプの無線デバイス、モバイルステーション、または例えばバッテリ等の内蔵電源を備えたポータブルコンピューティングデバイスを含む。スマートフォンの例は、例えば、特にＰａｌｍ、Ｂｌａｃｋｂｅｒｒｙ（登録商標）、ｉＰｈｏｎｅ（登録商標）、Ａｎｄｒｏｉｄ（登録商標）、Ｗｉｎｄｏｗｓ  Ｐｈｏｎｅ（登録商標）という取引上の表示として一般的に知られる製品を含む。さまざまな態様では、モバイルデバイス１０２および／または無線ノード１２０はＰＤＡ、ラップトップコンピュータ、超ラップトップコンピュータ、携帯電話／ＰＤＡの組み合わせ、モバイルユニット、加入者ステーション、ユーザ端末、ポータブルコンピュータ、ハンドヘルドコンピュータ、パームトップコンピュータ、着用型コンピュータ、メディアプレーヤ、メッセージングデバイス、データ通信デバイス、タブレットコンピュータ、電子書籍リーダ、携帯電話、ページャ、一方向ページャ、二方向ページャ、メッセージングデバイス、データ通信デバイス、等を備え得る、または実装し得る。モバイルデバイス１０２および／または無線ノード１２０の例は、手首コンピュータ、指コンピュータ、指輪コンピュータ、メガネコンピュータ、ベルトクリップコンピュータ、アームバンドコンピュータ、靴コンピュータ、衣服コンピュータ、および他のウェアラブルコンピュータのような、人物により着用されるように調整されたコンピュータを含むことができる。例えば固定型コンピューティングデバイスは、デスクトップコンピュータ、ワークステーション、クライアント／サーバコンピュータ等として実装し得る。
【００４３】
モバイルデバイス１０２および／または無線ノード１２０は、例えば、通信およびコンピュータ機能を有し、「ハンドヘルドデバイス」と呼ばれることもあるモバイルコンピュータ等のような主として個人的使用を意図されたデバイスを含む個人通信デバイスを備え得る。基地局は、例えば生理的データ等のデータを受信可能な任意のデバイスあるいは機器を備える。その例は、デスクトップコンピュータおよびラップトップコンピュータ等のコンピュータならびに高機能デバイス／機器を含む。高機能デバイス／機器は生理的データ等のデータを受信可能な消費者および家庭用デバイスならびに機器を含む。高機能デバイス／機器は他のデータ関連機能をも実行可能で、例えば、データの送信、表示、記憶、および／または処理である。高機能デバイス／機器の例は、冷蔵庫、はかり、トイレ、テレビ、ドアフレーム活動モニタ、ベッドサイドモニタ、ベッドスケールを含む。そのようなデバイスおよび機器は、例えば体重、心拍数等のさまざまな生理的データの検知または監視等のような追加機能を含むことができる。携帯電話はさまざまなモバイル技術、例えばセルラーネットワークと関連する電話通信デバイスを含む。
【００４４】
図１に示されるように、無線ノード１２０はリモートノード１２２と通信している。リモートノード１２２は、データベース１４０と通信可能に接続される処理システム１３８を備える。アイデンティティならびに薬物のタイプおよび量を含む患者に関連する情報が、データベース１４０に記憶され得る。一態様では、処理システム１３８は無線ノード１２０を介してモバイルデバイス１０２から情報を受け取り、データベース１４０内の情報にアクセスし、無線ノード１２０および／またはモバイルデバイス１０２を通して介護提供者に情報を提供する。リモートノード１２２はさまざまな情報を通信可能で、例えば、識別のための患者の写真等、摂取される前のＩＥＭデバイス１０４の写真、ＩＥＭデバイス１０４と組み合わされる薬物のタイプ、ならびに、患者が摂取した薬物のタイプおよび量の確認等の識別情報である。無線ノード１２０は、現場で利用可能な通信の任意のモードおよび周波数を利用して、リモートノード１２２と通信可能で、それらは無線、Ｇ２、Ｇ３、Ｇ４、リアルタイム、所定時間の遅延に基づいて定期的、ならびに後からの記憶および転送である。
【００４５】
無線ノード１２０とリモートノード１２２の間の通信の媒介物は、ネットワークを含む。さまざまな態様において、ネットワークは、限定されないが、インターネット、有線チャネル、無線チャネル、または電話、コンピュータ、有線、無線、光、若しくは他の電磁チャネルを含む通信デバイス、及びそれらの組み合わせ、またはデータを通信可能／データを関連付ける他のデバイスおよび／もしくは構成要素が含まれる、ＷＡＮおよびＬＡＮを備えてよい。例えば、通信環境は、体内通信、さまざまなデバイス、無線通信、有線通信、およびその組み合わせ等のさまざまなモードの通信を含む。
【００４６】
リモートノード１２２における処理システム１３８は、希望通りに構成されたサーバを備えることができ、例えば、患者に向けられた許可を提供する。例えば、サーバは家族の介護提供者が患者の食事療法に参加できるように構成されることができ、例えばインターフェース（ウェブインターフェース等）を介して、その家族の介護提供者がサーバによって生成される警告および傾向を監視できるようにし得る、そして患者に対してサポートを返すこともできる。サーバはまた患者に対し直接応答を提供するように構成されてもよく、例えば、患者警告、患者刺激の形式で、これらは通信デバイスを介して患者に中継される。サーバはまた例えば看護師、内科医等の健康管理の専門家と対話が可能で、これはデータ処理アルゴリズムを使用して健康の測定値および患者の服薬遵守を取得でき、これは例えば健康指標要約、警報、患者間ベンチマークであり、そしてインフォームドクリニカルコミュニケーションを提供し、患者のサポートを戻す。サーバはまた薬局、栄養センター、および製薬会社とも情報の授受を行い得る。
【００４７】
一態様では、リモートノード１２２はデータベース１４０内にモバイルデバイス１０２から受信した情報を記憶し得る。そのような情報は、ＩＥＭデバイス１０４が患者１０６によって摂取されたときのおおよその日時を表すタイムスタンプを含み得る。さらに、例えばＩＥＭデバイス１０４と関連するシリアル番号等の識別番号、個々の患者ＩＤ、薬物の原料、ＩＥＭデバイス１０４と組み合わされた投薬の使用期限または貯蔵寿命がデータベース１４０内に記憶されてもよい。
【００４８】
図２は、例えば、ＩＥＭデバイス１０４（図１）等の摂取可能事象マーカによって生成される電気信号を検出するためのモバイルデバイス１０２を備えるシステム２００の一態様を示す図である。一態様では、ＩＥＭデバイス１０４が患者１０６によって摂取されてすぐ、ＩＥＭデバイス１０４は、モバイルデバイス１０２と有線で連結された検出装置１０８を介して、モバイルデバイス１０２に情報を通信する。モバイルデバイス１０２はセルラータワー２０２および基地局２０４と通信し、セルラーネットワーク２０８を介してインターネット２０６にアクセスすることができる。したがって、ＩＥＭデバイス１０４からモバイルデバイス１０２によって受信された情報は、セルラーネットワーク２０８を通って、インターネット２０６を介してリモートノード１２２に通信することができる。リモートノード１２２の処理システム１３８は、モバイルデバイス１０２からの情報を受信し、それをデータベース１４０内に記憶し得る。
【００４９】
別の態様では、モバイルデバイス１０２はローカル無線アクセスポイント２１０（例えば、Ｗｉ−Ｆｉ）と通信し、これはＬＡＮ２１２に接続される。ＬＡＮ２１２はインターネット２０６等のＷＡＮと接続され、これは遠隔配置されたリモートノード１２２に接続される。ＩＥＭデバイス１０４によって生成される特有の電流シグネチャを検出すると、モバイルデバイス１０２は、アクセスポイント２１０、ＬＡＮ２１２、およびインターネット２０６を介して、リモートノード１２２にある処理システム１３８へ情報を通信することができる。処理システム１３８はデータベース１４０に情報を記憶する。リモートノード１２２は、データベース１４０に記憶されたＩＥＭデバイス１０４と関連する情報の追加処理のために、他のネットワーク２１４にアクセスすることができる。
【００５０】
別の態様では、モバイルデバイス１０２は、ＩＥＭデバイス１０４に関連する情報を、別のモバイルデバイスに送信し得る。他のモバイルデバイスは、次にセルラータワー２０２、基地局２０４、セルラーネットワーク２０８、およびインターネット２０６によって、リモートノード１２２と通信する。別の態様では、他のモバイルデバイスはアクセスポイント２１０、ＬＡＮ２１２、およびインターネット２０６と通信し、リモートノード１２２に至る。リモートノード１２２との通信が確立されると、ＩＥＭデバイス１０４に関連する情報は処理システムにより処理可能であり、および／またはデータベース１４０に記憶可能である。
【００５１】
図４は、摂取可能事象マーカデバイスによって生成される電気信号を検出するため、モバイルデバイス１０２と有線接続されたイヤホン１１０形式の検出装置１０８を備えるシステム４００の一態様を示す図である。図４に示されるように、検出装置１０８はプラグ４０２に電気伝導体１１２Ｒ、１１２Ｌより接続されたイヤホン１１０Ｒ、１１０Ｌを備える。プラグ４０２は、モバイルデバイス１０２のジャックコネクタ４０４部分または対応するデータポートソケット内に受容される。モバイルデバイス１０２はハウジング４０６、ディスプレイ４０８、入力／出力（Ｉ／Ｏ）システム４１０、デジタル画像を撮像するための孔４１２、およびアンテナ４１４を備える。モバイルデバイス１０２の機能モジュールは、図５と関連付けて後述される。
【００５２】
ディスプレイ４０８は、モバイルデバイス１０２に適切な情報を表示するための任意の好適なディスプレイユニットを備え得る。Ｉ／Ｏシステム４１０は、モバイルデバイス１０２に情報を入力するための任意の好適なＩ／Ｏデバイスを備える。Ｉ／Ｏシステム４１０の例は、英数字キーボード、数値キーパッド、タッチパッド、静電容量式タッチスクリーンパネル、入力キー、ボタン、スイッチ、ロッカースイッチ、音声認識デバイスおよびソフトウェア、等を含み得る。Ｉ／Ｏシステム４１０は、例えば、マイクロフォンおよびスピーカを備える。情報はマイクロフォンを介してモバイルデバイス１０２に入力されてもよい。そのような情報は音声認識デバイスによりデジタル化され得る。
【００５３】
図５は、例えば外部検出装置と接続されるように構成されているＩＥＭデバイス１０４（図１および２）等の摂取可能事象マーカによって生成される電気信号を検出するためのモバイルデバイス５００の一態様を示す系統図である。図５は、図１、２、４を参照して記述される、モバイルコンピューティングデバイス１０２のより詳細な構成図である。図５に示されるように、例えば、モバイルデバイス５００は複数の要素を備え得る。図５は例を通して特定のトポロジーにおける限定数の要素を示しているが、所与の実装に望まれるものとして、モバイルデバイス５００内に任意の好適なトポロジーにおける追加されたあるいは削減された要素を使用し得ることを理解されたい。さらに、ノードの実装を参照して上述されたように、本明細書中に記述される任意の要素は、ハードウェア、ソフトウェア、あるいは両者の組み合わせを使用して実装し得る。しかしながらモバイルデバイス５００の各態様は、この文脈中では限定されない。
【００５４】
さまざまな態様において、モバイルデバイス５００はハウジング４０６、アンテナ４１４、無線サブシステム５１４、およびバスを介して無線サブシステム５１４と連結された処理サブシステム５１２を備える。無線サブシステム５１４は、モバイルデバイス５００のための無線共有媒体を使用して、音声およびデータ通信操作を実施し得る。処理サブシステム５１２はモバイルデバイス５００のためにソフトウェアを実行し得る。バスは、汎用シリアルバス（ＵＳＢ）、マイクロＵＳＢバス、データポート、および適切なインターフェース、ならびにその他を備え得る。一態様では、無線サブシステム５１４は無線共有媒体の１つまたは複数の割り当て周波数バンドを介して、音声情報および制御情報を通信するように設定され得る。
【００５５】
一態様では、モバイルデバイス５００はアパーチュア４１２を通して撮像された画像を処理するための、イメージングサブシステム５０８を備え得る。処理サブシステム５１２にカメラを接続し（例えば、有線であるいは無線で）そして画像データ（人物または物の写真データ、例えばビデオデータ、デジタル静止画データ）を処理サブシステム５１２およびディスプレイ４０８に出力するように構成され得る。一態様では、このイメージングサブシステム５０８は画像をデジタル形式で電気的に撮像および記録するために使用される電子デバイスとして実装されるデジタルカメラを備え得る。したがっていくつかの態様では、デジタルカメラは静止画に加えて音および／または映像を記録し得る。
【００５６】
一態様では、イメージングサブシステム５０８はデジタルカメラの構成要素に制御信号を提供するためのコントローラを含むことができ、それらにはレンズ位置構成要素、マイクロフォン位置構成要素、およびフラッシュ制御モジュールが含まれ、デジタルカメラの機能を提供する。いくつかの態様では、コントローラは、例えば、モバイルデバイス５００の処理サブシステム５１２のホストプロセッサ要素として実装し得る。代替的に、イメージングコントローラはホストプロセッサとは別のプロセッサとして実装し得る。
【００５７】
さまざまな態様では、イメージングサブシステム５０８は、モバイルデバイス５００の処理サブシステム５１２の要素として、あるいは別個の要素としてメモリを備え得る。さまざまな態様において、メモリの一部または全体をコントローラと同じ集積回路に含み得ることは注目に値する。代替的に、メモリの一部または全体を、集積回路上に、あるいはコントローラの集積回路に対して外部となる他の媒体（例えば、ハードディスクドライブ）に配置し得る。
【００５８】
さまざまな態様では、イメージングサブシステム５０８は、レンズ構成要素およびレンズ位置構成要素を有するアパーチュア４１２を備え得る。レンズ構成要素は、写真レンズもしくは光学レンズで構成してもよく、例えば、ガラス、プラスチック、アクリルあるいはプレキシガラス（Ｐｌｅｘｉｇｌａｓｓ）等の透明材料で作られるレンズの装置で構成してもよい。一態様では、レンズ構成要素の１つまたは複数のレンズ要素は、物体のイメージを再生してもよく、レンズ要素の焦点距離を機械的に変更することによって、物体に対してズームインまたはズームアウトしてもよい。さまざまな態様では、デジタルズームをイメージングサブシステム５０８に採用し、イメージをズームインあるいはズームアウトし得る。いくつかの態様では、１つまたは複数のレンズ要素を使用し、レンズ要素の焦点距離を変えることにより、イメージの異なる部分に焦点を合わせ得る。例えばデジタルイメージングサブシステム５０８のオートフォーカス機能により、または、イメージの希望する部分に手動で焦点を合わせることにより、希望する焦点を得ることができる。
【００５９】
ナビゲーションサブシステム５１０はモバイルデバイス５００を使用してナビゲーションをサポートする。さまざまな態様において、モバイルデバイス５００は場所あるいは位置判定機能を含み、そして１つまたは複数の場所判定技術を採用しており、例えば、ＧＰＳ（Ｇｌｏｂａｌ  Ｐｏｓｉｔｉｏｎｉｎｇ  Ｓｙｓｔｅｍ）技術、ＣＧＩ（Ｃｅｌｌ  Ｇｌｏｂａｌ  Ｉｄｅｎｔｉｔｙ）技術、ＴＡ（Ｔｉｍｉｎｇ  Ａｄｖａｎｃｅ）技術を含むＣＧＩ、ＥＦＬＴ（Ｅｎｈａｎｃｅｄ  Ｆｏｒｗａｒｄ  Ｌｉｎｋ  Ｔｒｉｌａｔｅｒａｔｉｏｎ）技術、ＴＤＯＡ（Ｔｉｍｅ  Ｄｉｆｆｅｒｅｎｃｅ  ｏｆ  Ａｒｒｉｖａｌ）技術、ＡＯＡ（Ａｎｇｌｅ  ｏｆ  Ａｒｒｉｖａｌ）技術、ＡＦＴＬ（Ａｄｖａｎｃｅｄ  Ｆｏｒｗａｒｄ  Ｌｉｎｋ  Ｔｒｉｌａｔｅｒａｔｉｏｎ）技術、ＯＴＤＯＡ（Ｏｂｓｅｒｖｅｄ  Ｔｉｍｅ  Ｄｉｆｆｅｒｅｎｃｅ  ｏｆ  Ａｒｒｉｖａｌ）、ＥＯＴＤ（Ｅｎｈａｎｃｅｄ  Ｏｂｓｅｒｖｅｄ  Ｔｉｍｅ  Ｄｉｆｆｅｒｅｎｃｅ）技術、ＡＧＰＳ（Ａｓｓｉｓｔｅｄ  ＧＰＳ）技術、ハイブリッド技術（例えば、ＣＤＭＡネットワークのためのＧＰＳ／ＣＧＩ、ＡＧＰＳ／ＣＧＩ、ＧＰＳ／ＡＦＴＬまたはＡＧＰＳ／ＡＦＴＬ、ＧＳＭ／ＧＰＲＳネットワークのためのＧＰＳ／ＥＯＴＤまたはＡＧＰＳ／ＥＯＴＤ、ＵＭＴＳネットワークのためのＧＰＳ／ＯＴＤＯＡまたはＡＧＰＳ／ＯＴＤＯＡ）である。
【００６０】
一態様では、モバイルデバイス５００は、例えば、独立型モード、モバイルステーション（ＭＳ）支援モード、および／またはＭＳベースモードを含む１つまたは複数の場所判定モードにおいて動作するように構成し得る。独立型ＧＰＳモード等の独立型モードにおいては、モバイルデバイス５００は、暦、天文暦、および粗データ等の特定タイプの位置支援データを受信し得るが、ネットワークから無線ナビゲーションデータを受信することなくその位置を判定するように構成し得る。独立型モードにおいては、モバイルデバイス５００はアンテナ４１４を介して衛星データを受信し、位置修正を計算するように構成され、ハウジング４０６内に一体化し得るＧＰＳ受信機等のローカル場所判定回路を備え得る。ローカル場所判定回路は、ハウジング４０６とは別の第２のハウジング内にあるが、モバイルデバイス５００の近くに、ＧＰＳ受信機を代替的に備えてもよく、そしてモバイルデバイス５００と無線で（例えば、Ｂｌｕｅｔｏｏｔｈ等のＰＡＮを介して）通信するように構成し得る。しかしながら、ＭＳ支援モードまたはＭＳベースモードにおいての動作時では、モバイルデバイス５００は、無線アクセスネットワーク（例えば、ＵＭＴＳ無線アクセスネットワーク）を介して、リモートコンピュータ（例えば、特に、場所判定エンティティ（ＬＤＥ）、場所プロキシサーバ（ＬＰＳ）および／またはモバイル位置決めセンター（ＭＰＣ））と通信するように構成してもよい。
【００６１】
検出サブシステム５１６はコネクタ４０４と接続され、コネクタ４０４は検出装置１０８のプラグ４０２（図４）部分を受容するように構成される。検出サブシステム５１６はＩＥＭデバイス１０４（図１、２）によって生成される特有の電流シグネチャを検出し、これは、他の情報の中でも、ＩＥＭデバイス、薬物、および／または患者と関連する情報を符号化する。検出サブシステム５１６は処理５１２と接続され、復号化情報を処理サブシステム５１２に提供する。処理サブシステム５１２は無線サブシステム５１４を活性化し、復号化ＩＥＭ情報を無線ノード１２０（図１、２）および／またはセルラーネットワーク２０８（図２）に通信する。検出サブシステム５１６は図６および７と関連付けて詳細が後述される。
【００６２】
さまざまな態様では、モバイルデバイス５００は、モバイルデバイス５００のためのパワーを管理するためのパワー管理サブシステム（図示せず）を備えてもよく、パワー管理サブシステムは、無線サブシステム５１４、処理サブシステム５１２、およびモバイルデバイス５００の他の要素を含んでいる。例えば、パワー管理サブシステムは、直流（ＤＣ）パワーを提供するための１つまたは複数のバッテリ、および標準ＡＣ主電源からパワーを得るための１つまたは複数の交流（ＡＣ）インターフェースを含み得る。
【００６３】
さまざまな態様で、無線サブシステム５１４はアンテナ４１４を含み得る。アンテナ４１４は無線共有媒体１２４（図１）を介し、ＲＦエネルギーを放送および受信し得る。アンテナ４１４の例は、内部アンテナ、無指向性アンテナ、モノポールアンテナ、ダイポールアンテナ、エンドフェッドアンテナ、円偏波アンテナ、マイクロストリップアンテナ、ダイバーシティアンテナ、デュアルアンテナ、アンテナアレイ、ヘリカルアンテナ等を含み得る。各態様はこの文脈中では限定されない。
【００６４】
さまざまな態様において、アンテナ４１４はマルチプレクサと連結し得る。マルチプレクサは、アンテナ４１４に配給するためにパワーアンプからの信号を多重化する。マルチプレクサは、ＲＦチップセットに配給するためにアンテナから受信した信号を多重分離する。
【００６５】
さまざまな態様では、マルチプレクサはパワーアンプと連結され、パワーアンプは無線共有媒体１２４（図１）を介して送信される任意の信号を増幅するために使用され得る。パワーアンプはクワッドバンドシステムにおける４周波数帯等のすべての割り当てられた周波数帯で動作し得る。パワーアンプはさまざまな変調モードで動作可能で、それらはＧＳＭ（登録商標）システムに好適なＧＭＳＫ（Ｇａｕｓｓｉａｎ  Ｍｉｎｉｍｕｍ  Ｓｈｉｆｔ  Ｋｅｙｉｎｇ）変調およびＥＤＧＥシステムに好適な８相位相シフトキーイング（８−ＰＳＫ）である。
【００６６】
さまざまな態様では、パワーアンプはＲＦチップセットと連結し得る。ＲＦチップセットはまたマルチプレクサと連結し得る。一態様では、ＲＦチップセットはＲＦドライバおよびＲＦトランシーバを備え得る。ＲＦチップセットはクワッドバンドＥ−ＧＰＲＳ無線のためのＧＭＳＫおよび８ＰＳＫ信号タイプに必要とされるすべての変調および直接変換動作を実施する。ＲＦチップセットはベースバンドプロセッサからアナログ同相（Ｉ）および直交（Ｑ）信号を受信し、Ｉ／Ｑ信号をパワーアンプによる増幅に好適なＲＦ信号に変換する。同様に、ＲＦチップセットはアンテナ４１４およびマルチプレクサを介して無線共有媒体１２４（図１）から受信した信号を、ベースバンドプロセッサに送られるアナログＩ／Ｑ信号に変換する。ＲＦチップセットは、例では、２つのチップを使用し得るが、ＲＦチップセットがより多くのあるいはより少ないチップセットを使用して実装され、態様が意図する範囲内であることを理解されたい。
【００６７】
さまざまな態様では、ＲＦチップセットはベースバンドプロセッサと連結可能であり、ベースバンドプロセッサは無線サブシステム５１４のためのベースバンド動作を実行し得る。ベースバンドプロセッサはアナログおよびデジタルの両方のベースバンド部を備え得る。アナログベースバンド部は、Ｉ／Ｑフィルタ、アナログ−デジタルコンバータ、デジタル−アナログコンバータ、オーディオ回路、および他の回路を含む。デジタルベースバンド部は、１つまたは複数の、エンコーダ、デコーダ、イコライザ／復調器、ＧＭＳＫ変調器、ＧＰＲＳサイファ、トランシーバコントロール、自動周波数制御（ＡＦＣ）、自動ゲイン制御（ＡＧＣ）、パワーアンプ（ＰＡ）ランプ制御、および他の回路を含み得る。
【００６８】
さまざまな態様では、ベースバンドプロセッサはメモリバスを介して１つまたは複数のメモリユニットとも連結され得る。一態様では、例えば、ベースバンドプロセッサはフラッシュメモリユニットおよびＳＤ（Ｓｅｃｕｒｅ  Ｄｉｇｉｔａｌ：登録商標）メモリユニットと連結し得る。メモリユニットは取り外し可能あるいは取り外し不可能メモリであり得る。一態様では、例えば、ベースバンドプロセッサはＥ−ＧＰＲＳおよび他のプロトコルスタック要件のために約１．６メガバイトのＳＲＡＭ(Ｓｔａｔｉｃ  ＲＡＭ）を使用し得る。
【００６９】
さまざまな態様では、ベースバンドプロセッサは加入者識別モジュール（ＳＩＭ）とも連結し得る。ベースバンドプロセッサはＳＩＭのためのＳＩＭインターフェースを有することができ、ＳＩＭは、ネットワーク供給音声あるいはデータ通信に対してユーザを識別および認証できるように、音声およびデータ送信を暗号化し、特定ユーザについてデータを記憶する高性能カードを備えることができる。ＳＩＭはまたユーザおよび電話番号固有の個人電話番号設定等のデータを記憶し得る。ＳＩＭは取外し可または取り外し不可である。
【００７０】
さまざまな態様では、ベースバンドプロセッサはさらに処理サブシステム５１２のホストプロセッサと通信するためのさまざまなインターフェースを含み得る。例えば、ベースバンドプロセッサは、１つまたは複数の汎用非同期送受信機（ＵＡＲＴ）インターフェース、１つまたは複数のホストプロセッサに対する制御ライン／状態ライン、１つまたは複数のホストプロセッサに対する制御／データライン、および処理サブシステム５１４のオーディオサブシステムにオーディオ信号を通信するための１つまたは複数のオーディオラインを有し得る。各態様は本文脈中で限定されていない。
【００７１】
さまざまな態様では、処理サブシステム５１４は、モバイルデバイス５００および／または検出サブシステム５１６のための演算または処理動作を提供し得る。例えば、モバイルデバイス５００のためのさまざまなソフトウェアプログラム及び検出サブシステム５１６のためのいくつかのソフトウェアプログラムを実行するために、処理サブシステム５１４が構成され得る。処理サブシステム５１４を使用してプロセッサによりソフトウェアが実行されるさまざまな態様のための動作を実装し得るが、処理サブシステム５１４によって実施される動作は、特定の実装に望まれるものとして、ハードウェア回路または構造あるいはハードウェアとソフトウェアとの組み合わせを使用しても実装され得るということを理解されたい。
【００７２】
さまざまな態様では、処理サブシステム５１２は任意のプロセッサまたは論理装置を使用して実装されるプロセッサを含むことができ、それらは複合命令セットコンピュータ（ＣＩＳＣ）マイクロプロセッサ、縮小命令セット演算（ＲＩＳＣ）マイクロプロセッサ、超長命令語（ＶＬＩＷ）マイクロプロセッサ、命令セット組み合わせを実装するプロセッサ、あるいは他のプロセッサ装置である。一態様では、例えば、プロセッサはＩｎｔｅｌ社（Ｓａｎｔａ  Ｃｌａｒａ,Ｃａｌｉｆ.）により製造されるプロセッサ等の、汎用プロセッサとして実装され得る。プロセッサはまた専用プロセッサとしても実装可能で、それらはコントローラ、マイクロコントローラ、埋め込みプロセッサ、デジタル信号プロセッサ（ＤＳＰ）、ネットワークプロセッサ、メディアプロセッサ、入力／出力（Ｉ／Ｏ）プロセッサ、メディアアクセス制御（ＭＡＣ）プロセッサ、無線ベースバンドプロセッサ、フィールドプログラマブルゲートアレイ（ＦＰＧＡ）、プログラマブルロジックデバイス（ＰＬＤ）等である。
【００７３】
一態様では、処理サブシステム５１４はプロセッサに連結するメモリを含み得る。メモリはデータを記憶可能な任意の機械可読またはコンピュータ可読媒体を使用して実装でき、それらには揮発性および非揮発性両方のメモリが含まれる。例えば、メモリはＲＯＭ、ＲＡＭ、ＤＲＡＭ、ＤＤＲＡＭ、ＳＤＲＡＭ、ＳＲＡＭ、ＰＲＯＭ、ＥＰＲＯＭ、ＥＥＰＲＯＭ、フラッシュメモリ、強誘電性ポリマメモリ等のポリマメモリ、オボニックメモリ、相変化あるいは強誘電性メモリ、ＳＯＮＯＳ（Ｓｉｌｉｃｏｎ−Ｏｘｉｄｅ−Ｎｉｔｒｉｄｅ−Ｏｘｉｄｅ−Ｓｉｌｉｃｏｎ）メモリ、磁気あるいは光カード、あるいは情報を記憶するために好適なあらゆる他のタイプの媒体を含み得る。メモリの一部または全部をプロセッサと同じ集積回路上に含め、それによってメモリバスの必要性をなくすることができることは注目に値する。代替的にメモリの一部または全部を、集積回路、または例えばプロセッサの集積回路に対して外部にあるハードディスクドライブ等の他の媒体に配置することができ、そしてプロセッサは、例えば、メモリバスを介してメモリにアクセスし得る。
【００７４】
さまざまな態様では、メモリは１つまたは複数のソフトウェア構成要素（例えば、アプリケーションクライアントモジュール）を記憶し得る。ソフトウェア構成要素は、動作の離散セットを実装するために使用される１つもしくは複数のプログラムまたはプログラムの一部でもよい。所与の装置に関するソフトウェア構成要素の集まりは、ソフトウェアアーキテクチャあるいはアプリケーションフレームワークとして集合的に参照し得る。モバイルデバイス５００のソフトウェアアーキテクチャは、以下に、より詳細に述べる。
【００７５】
モバイルデバイス５００で好適に使用されるソフトウェアアーキテクチャは、ユーザインターフェース（ＵＩ）モジュール、インターフェースモジュール、データソースまたはバックエンドサービスモジュール（ｄａｔａ  ｓｏｕｒｃｅ）、およびサードパーティのＡＰＩモジュールを含み得る。オプションのＬＢＳモジュールは、ユーザベース許可モジュール、パーサモジュール（例えば、Ｎａｔｉｏｎａｌ  Ｍａｒｉｔｉｍｅ  Ｅｌｅｃｔｒｏｎｉｃ  Ａｓｓｏｃｉａｔｉｏｎ、つまりＮＭＥＡ）、場所情報ソースモジュール、および位置情報ソースモジュールを備え得る。いくつかの態様では、あるソフトウェア構成要素は省略され、他は追加され得る。さらに、いくつかのプログラムのための動作は、所与の実装に望ましいものとして、追加ソフトウェア構成要素に分割、あるいはより少ないソフトウェア構成要素に統合されてもよい。モバイルデバイス５００ソフトウェアアーキテクチャは、いくつかの要素、構成またはモジュールを備えてもよく、本明細書中では集合的に、「モジュール（ｍｏｄｕｌｅ）」として参照される。モジュールは、回路、集積回路、ＡＳＩＣ(Ａｐｐｌｉｃａｔｉｏｎ  Ｓｐｅｃｉｆｉｃ  Ｉｎｔｅｇｒａｔｅｄ
Ｃｉｒｃｕｉｔ）、集積回路アレイ、集積回路または集積回路アレイを備えるチップセット、論理回路、メモリ、集積回路アレイまたはチップセットの要素、集積回路アレイスタック、プロセッサ、デジタル信号プロセッサ、プログラマブルロジックデバイス、コード、ファームウェア、ソフトウェア、および任意のそれらの組み合わせとして実装し得る。
【００７６】
図６Ａは例えば、ＩＥＭデバイス１０４（図１および２）等の摂取可能事象マーカによって生成される電気信号を検出するためのモバイルデバイス５００における検出サブシステム５１６の電極入力回路６０２部分と接続されるイヤホンプラグ４０２との一態様を示す図６００である。プラグ４０２は、電気的絶縁要素により分離される複数の導電性セグメント（Ｌ、Ｒ、Ｇ）を有する導電性突起６０４を備える。セグメントＬは左イヤホン１１０Ｌ（図１、２、４）電極要素３００Ｌ（図示せず）と電気的に連結され、セグメントＲは右イヤホン１１０Ｒ（図１、２、４）電極要素３００Ｒ（図３Ａ、３Ｂ）と電気的に連結され、セグメントＧは接地されている。他の構成あるいは追加セグメントもプラグ内に含まれ得ることを理解されたい。例えば、電気的な連結を電極要素３００Ｒ、３００Ｌに提供することに加え、追加セグメントを採用してオーディオ信号をイヤホン１１０Ｒ、１１０Ｌに伝えることもできる。プラグ４０２は、電気信号をアナログあるいはデジタル形式で運ぶのに好適な任意のタイプの電気コネクタでよい。電気的に導電性セグメント（Ｌ、Ｒ、Ｇ）は、電極入力回路６０２の対応するコネクタ５１４部分と接続される。
【００７７】
図６Ｂは、図６Ａに示される検出サブシステム５１６の電極入力回路６０２の一態様を示す図である。図６Ｂは、一態様に従い、図６Ａに描かれた電極入力回路６０２の機能構成図を実装するように構成される回路のより詳細な構成図を提供する。図６Ｂでは、電極入力回路６０２は電極ｅ１、ｅ２（６１１、６１２）を含み、これは、例えば、プラグ４０２から連結部ＬおよびＲを介してＩＥＭデバイスにより導電的に送信された信号を受信する。電極６１１、６１２によって受信された信号は、電極６１１、６１２と電気的に接続されたマルチプレクサ６２０によって多重化される。
【００７８】
マルチプレクサ６２０は高域通過フィルタ６３０と電気的に接続される。シグナルチェーンは、希望するレベルあるいは範囲をカバーするためのプログラマブルゲインを提供する。この特定の態様において、高域通過フィルタ６３０は１０ＫＨｚ〜３４ＫＨｚ帯の周波数を通過させ、一方帯域外周波数からのノイズをフィルタで遮断する。他の態様では、高域通過フィルタ６３０は任意の好適周波数のための好適な帯域通過フィルタと置き換え得る。図６Ｂに示される態様では、高周波数帯は、例えば、約３ＫＨｚ〜約３００ＫＨｚの範囲で変化してもよく、当該範囲を含んでもよい。他の態様では、周波数帯域は、例えば、約０．３ＫＨｚ〜約３０ＫＨｚの範囲で変化してもよく、当該範囲を含んでもよい。通過周波数は、次に、高出力プロセッサ６８０（ＤＳＰとして表示される）への入力のために、変換器６３４によってデジタル信号に変換される前に、アンプ６３２によって増幅され、高出力プロセッサ６８０は周波数シグナルチェーンに電気的に接続される。図６Ｂにさらに示されているのはフラッシュメモリ６９０であり、これはメモリ記憶を可能とし、動作効率を高めるために高出力プロセッサ６８０と電気的に接続される。
【００７９】
高出力プロセッサ６８０は、例えば、Ｔｅｘａｓ  ＩｎｓｔｒｕｍｅｎｔｓのＶＣ５５０９デジタル信号プロセッサであってもよい。高出力プロセッサ６８０は作動状態中に信号処理動作を実施する。これらの動作は、アイドル状態より大きな量、例えば３０μＡ以上、５０μＡ以上の電流を必要とし、例えば、導電的に送信される信号のスキャンあるいは受信された導電的に送信される信号の処理等の動作を含み得る。
【００８０】
検出サブシステム５１６（図６Ａ）はデータ信号を処理するためのハードウェアアクセラレータモジュール（図示せず）を含み得る。ハードウェアアクセラレータモジュール（図示せず）は、例えば、ＤＳＰの代わりに実装される。より専門化された演算ユニットとしてハードウェアアクセラレータモジュールは、より汎用的なＤＳＰと比べ、より少ないトランジスタ（より少ないコストおよび電力）を用いて信号処理アルゴリズムの態様を実施する。ハードウェアのブロックは、重要な特定機能の性能を「加速」させるために使用され得る。ハードウェアアクセラレータのいくつかの構造は、マイクロコードあるいはＶＬＩＷアセンブリを介して「プログラマブル」であろう。使用中は、それらの機能は関数ライブラリへの呼び出しによりアクセスされる。
【００８１】
図７は、例えば、ＩＥＭデバイス１０４（図１および２）等の摂取可能事象マーカによって生成される電気信号を検出するためのモバイルデバイスの検出サブシステム５１６の一態様を示す系統図である。図７は集積回路構成要素の一態様の機能構成図である。図７に示されるように、検出サブシステム５１６は電極入力回路６０２を備え、これは、検出装置１０８からＩＥＭデバイス１０４によって生成される電流シグネチャを受信する（両者とも図１および２に示される）。一態様では、電極入力回路６０２と電気的に接続されるのは、トランスボディ導電性通信モジュール７０２であり、そして別の態様では、生理的検知モジュール７０４はオプションで電極入力回路６０２と接続し得る。一態様では、トランスボディ導電性通信モジュール７０２は、第１の、例えば、高周波（ＨＦ）シグナルチェーンとして実装してもよく、そして生理的検知モジュール７０４は、第２の、例えば、低周波（ＬＦ）シグナルチェーンとして実装してもよい。一態様では、検出サブシステム５１６は環境温度を検出するための温度検知モジュール７０６および３軸加速度計７０８をも含み得る。一態様では、温度検知モジュール７０６は相補型酸化膜半導体（ＣＭＯＳ）回路要素を使用して実装し得る。さまざまな態様では、例えば、限定されないが、ｐＨ検知、インピーダンス検知を含む、ＩＥＭデバイス１０４周囲の環境の検知のために追加モジュールが提供され得る。検出サブシステム５１６はデータ記憶のためのメモリ７１０（上述のあらゆるメモリ要素と同様）および別のデバイスからのデータを受信するためおよび／またはデータを送信するため、例えばデータのダウンロード／アップロード動作それぞれのために、無線通信モジュール７１２を備えてもよい。さまざまな態様では、センサ７１４およびフィードバックモジュール７１６も検出サブシステム５１６内に含まれる。一態様では、図７に示されるように、さまざまな機能モジュールがモバイルデバイス５００（図５）の処理サブシステム５１２と接続される。他の態様では、検出サブシステムはそれ自身の専用処理エンジンを備え得る。例えば、図１４の例で示されるように、検出サブシステム５１６は専用処理エンジン１４０２を備え得るが、例えばこれは、モバイルデバイス５００の処理サブシステム５１２から分離されるマイクロコントローラあるいはデジタル信号プロセッサである。
【００８２】
図７の参照に戻り、さまざまな態様では、トランスボディ導電性通信モジュール７０２および無線通信モジュール７１２はそれぞれ１つまたは複数の送信機／受信機（「トランシーバ」）モジュールを備え得る。本明細書中での使用では、用語「トランシーバ」は非常に一般的意味において使用され、限定されないが、送信機、受信機、または両者の組み合わせを含む。一態様では、トランスボディ導電性通信モジュール７０２はＩＥＭデバイス１０４（図１および２）と通信するように構成される。一態様では、無線通信モジュール７１２は、無線アクセスポイント２１０（図２）と通信するように構成される。別の態様では、無線通信モジュール７１２は他のモバイルデバイスと通信するように構成され得る。
【００８３】
さまざまな態様では、センサ７１４は、主として患者１０６に接触し（図１および２）、例えば胴に着脱自在に取り付け可能である。さまざまな他の態様では、センサ７１４は検出サブシステム５１６に対して着脱自在に、または恒久的に取り付け得る。例えば、センサ７１４がメタルスタッドを嵌めることにより、検出サブシステム５１６に対して着脱自在に連結し得る。センサ７１４は、例えば、生理的データを検知または受信可能なさまざまなデバイスを備え得る。センサ７１４のタイプは、バイオコンパチブル電極等の電極を含む。センサ７１４は、例えば、他のセンサの中でも、圧力センサ、モーションセンサ、加速度計７０８、筋電図（ＥＭＧ）センサ、ＩＥＭデバイス１０４（図１および２）、生体電位センサ、心電図センサ、温度センサ、触覚事象マーカセンサ、インピーダンスセンサ、として構成し得る。
【００８４】
さまざまな態様では、フィードバックモジュール７１６は、ソフトウェア、ハードウェア、回路、さまざまなデバイス、およびそれらの組み合わせで実装し得る。フィードバックモジュール７１６の機能は、上述のように控えめで、如才なく、慎重な形で患者１０６（図１および２）との通信を提供する。さまざまな態様では、フィードバックモジュール７１６は、視覚、聴覚、振動／触覚、嗅覚、および味覚を採用する技術を使用して、患者１０６（図１および２）と通信するために実装し得る。
【００８５】
図８は、例えば、ＩＥＭデバイス１０４（図１および２）等の摂取可能事象マーカによって生成される電気信号を検出するための一体型電極８０４Ａおよび８０４Ｂを備えるモバイルデバイス８００の一態様を示す図である。ここで図８〜１０を参照すると、一体型電極８０４Ａ、８０４Ｂが検出サブシステム５１６（図５〜７）と同様の検出サブシステム５１６（図９）と接続される。この特定の態様においては、電極は一体型電極８０４Ａ、８０４Ｂにより置き換えられる。したがって、使用中は、患者１０６（図１０）はＩＥＭデバイス１０４（図１０）を含む薬物を摂取し、ＩＥＭデバイス１０４によって生成される特有の電流シグネチャを検出サブシステム５１６と接続するために電極８０４Ａ、８０４Ｂと両手で接触しながらモバイルデバイス８００を保持する。別の態様では、接触電極を備えるモバイルデバイスを、リストバンドあるいはアームバンドの上に配置し、これによってユーザとの物理的連結性が可能となる。
【００８６】
モバイルデバイス８００はハウジング８０６、ディスプレイ８０８、入力／出力（Ｉ／Ｏ）システム８１０、デジタル画像を撮像するためのアパーチュア８１２、およびアンテナ８１４をも備える。同様の機能モジュールの概要は、図５に示されるモバイルデバイス１０２との関連において提供され、簡潔性および明確化のためにここでは繰り返されない。
【００８７】
図９は、例えば、一体型電極８０５Ａ、８０４Ｂと接続するように構成されたＩＥＭデバイス１０４（図１、２、１０）等の摂取可能事象マーカによって生成される電気信号を検出するための、モバイルデバイス９００の一態様を示す系統図である。図９に示されるように、モバイルデバイス９００は複数の要素を備え得る。図９は例によってあるトポロジー内の限定された数の要素を示すが、所与の実装に望まれるものとして、任意の好適トポロジーにおけるより多いあるいはより少ない要素をモバイルデバイス９００に使用し得るということを理解されたい。さらに、ノードの実装を参照して上述されたように、ここで記述されるあらゆる要素はハードウェア、ソフトウェア、または両者の組み合わせを使用して実装し得る。しかしながら、モバイルデバイス９００の各態様はこの文脈中では限定されない。
【００８８】
さまざまな態様では、モバイルデバイス９００はハウジング８０６およびアンテナ８１４を備える。モバイルデバイス９００は、バスを介して処理サブシステム５１２に連結される無線サブシステム５１４も備える。無線サブシステム５１４は、モバイルデバイス９００のための無線共有媒体を使用して、音声およびデータ通信動作を実施し得る。処理サブシステム５１２は、モバイルデバイス９００のためのソフトウェアを実行し得る。バスは、ＵＳＢまたはマイクロＵＳＢバスおよび適切なインターフェースならびにその他を備え得る。
【００８９】
検出サブシステム５１６は、図５〜７との関連において上述された通り、一体型電極８０４Ａ、８０４Ｂと接続され、これらは、ＩＥＭデバイス１０４（図１０）によって生成される特有の電気シグネチャを通電するために、患者１０６（図１０）によって触れられるように構成される。したがって、患者１０６がＩＥＭデバイス１０４を摂取し、一体型電極８０４Ａ、８０４Ｂと接触すると、一体型電極８０４Ａ、８０４Ｂを通して接続される検出サブシステム５１６は、ＩＥＭデバイス１０４によって生成される特有の電流シグネチャを検出する。上述されたように、ＩＥＭデバイス１０４によって生成される特有の電流シグネチャは、他の情報の中でも、ＩＥＭデバイス１０４、薬物、および／または患者１０６と関連する情報を符号化する。検出サブシステム５１６は処理サブシステム５１２に接続され、復号化シーケンスを処理サブシステム５１２に提供する。処理サブシステム５１２は無線サブシステム５１４を作動させ、ＩＥＭデバイス１０４から受信した復号化された情報を無線ノード１２０（図１、２）またはセルラーネットワーク２０８（図２）に通信する。イメージングサブシステム５０８、ナビゲーションサブシステム５１０、処理サブシステム５１２、および無線サブシステム５１４は、図５との関連においてすでに説明されており、開示の簡潔性および明確化のためにここでは繰り返されない。
【００９０】
図１０は、例えば、ＩＥＭデバイス１０４との摂取可能事象マーカによって生成される電気信号を検出するための一体型電極８０４Ａ、８０４Ｂ（図８）を備えるモバイルデバイス８００の一態様を使用したプロセスにおける患者１０６を示す図である。上述のように、患者がＩＥＭデバイス１０４を摂取すると、患者１０６は一体型電極８０４Ａ、８０４Ｂと接触してモバイルデバイス８００を保持する。上述のように胃１１６の消化液１１４内で溶解するときのＩＥＭデバイス１０４によって生成される特有の電流シグネチャは、患者１０６から一体型電極８０４Ａ、８０４Ｂと接続され、そして検出サブシステム５１６（図９）と接続される。
【００９１】
図１１は、例えば、ＩＥＭデバイス１０４（図１、２、１０）等の摂取可能事象マーカによって生成される電気信号を検出するための一体化された検出回路を有するモバイルデバイス包囲装置１１０２を備える嵌め合わせ構成に受容されたモバイルデバイス１１００の一態様を示す図である。包囲装置１１０２は、他の中でも、ハウジング、エンクロージャ、アタッチメントのことを指してもよく、そしてモバイルデバイス１１００を略または部分的にカバーまたは包囲し得る。図１２は、モバイルデバイス１１００、およびモバイルデバイス１１００を受容するための包囲装置１１０２（クレードル、保護カバー、スキン等）を、嵌め合わされていない構成において示す図である。図１１および１２に示されるモバイルデバイス１１００は、上述のモバイルデバイス１０２、８００と略同様であるため、同様の機能モジュールの概要は、開示の簡潔性および明確化の目的でここでは繰り返されない。
【００９２】
図１１および１２に示されるように、モバイルデバイス１１００は包囲装置１１０２と嵌め合うように構成される。包囲装置１１０２は、その中に一体化された検出モジュール１２００を含む。検出モジュール１２００は、図６および７と関連して記述された検出サブシステム５１６および電極入力回路６０２それぞれと同様の電極入力回路を有する検出サブシステムを備える。検出サブシステムおよび電極入力回路構成要素は同様であるため、開示の簡潔性および明確化の目的で、特定の詳細はここでは繰り返されない。包囲装置１１０２は、患者を検出モジュール１２００と接続するための電極１２０２Ａおよび１２０２Ｂ（図１２には図示せず、図１３に図示）をも含む。検出モジュール１２００は、ＩＥＭデバイス１０４（図１、２、１０）によって生成される特有の電流シグネチャを検出し、処理するモバイルデバイス１１００の機能モジュールと電気的に接続され得る。検出モジュール１２００は、例えば、誘導結合、無線送信、電気コネクタ等のあらゆる好適な技術を使用して、モバイルデバイス１１００の機能モジュールと電気的に接続され得る。検出モジュール１２００をモバイルデバイス１１００の機能モジュールと電気的に接続する好適なコネクタを備えるハウジングの一例は、図１３と関連して述べられる。
【００９３】
図１３は、一体化された摂取可能事象マーカによって生成される電気信号を検出するための検出回路１２００と、検出回路１２００をモバイルデバイスの機能モジュールと電気的に接続するためのコネクタ１３００とを備え、モバイルデバイスを受容する包囲装置１１０２の一態様を示す図である。使用中は、モバイルデバイス（図示せず）は包囲装置１１０２にスライド可能に挿入され、コネクタ１３００に差し込まれる。電極１２０２Ａ、１２０２Ｂは患者を検出モジュール１２００と接続するために使用される。コネクタ１３００は、他の目的の中でも通信目的のために、検出モジュール１２００をモバイルデバイス１１００（図１２）の機能モジュールと接続する。一態様では、包囲装置１１０２と一体化された検出モジュール１２００は独立型モジュールであり、ＩＥＭデバイスによって生成される特有の電流シグネチャを検出するためのすべての必要な電子モジュールを含む。
【００９４】
図１４は、例えばＩＥＭデバイス１０４（図１、２、１０）等の摂取可能事象マーカによって生成される電気信号を検出するための検出回路１４００の一態様を示す系統図である。一態様では、検出回路１４００は処理エンジン１４０２を含む独立型モジュールである。処理エンジン１４０２は、例えば、図５との関連において上述された処理サブシステム５１２と機能面で類似する。電極入力回路６０２は、包囲装置１１０２（図１３）と一体化された電極１２０２Ａ、１２０２Ｂからの電気入力を受ける。処理エンジン１４０２はトランスボディ導電性通信モジュール７０２および生理的検知モジュール７０４からの入力を受け、ＩＥＭデバイス１０４（図１、２、１０）によって生成される特有の電気シグネチャを復号する。温度センサ７０６、加速度計７０８、メモリ７１０、無線通信モジュール７１２、センサ７１４、およびフィードバックモジュール７１６を含む他のモジュールは、オプションであり、処理エンジン１４０２とも接続される。
【００９５】
図１５は、例えば、ＩＥＭデバイス（図１、２、１０）等の摂取可能事象マーカによって生成される電気信号を検出するための、モバイルデバイス１５０６に有線で接続されるメガネ１５０４の形式の検出装置１５０２を備えるシステム１５００の一態様を示す図である。検出装置１０２はメガネ１５０４、または読書用メガネ、度付きメガネ、サングラス等の任意のアイウェアの形式を含む。メガネ１５０４は電気伝導体１５１０Ｒ、１５１０Ｌによりプラグ１５１２と接続される電極１５０８Ｌ、１５０８Ｒを備える。プラグ１５１２は、対応するデータポートソケットまたはモバイルデバイス１５０６のジャックコネクタ１５１４部分内に受容される。モバイルデバイス１５０６は、ハウジング１５１６、ディスプレイ１５１８、入力／出力（Ｉ／Ｏ）システム１５２０、デジタル画像を撮像するためのアパーチュア１５２２、およびアンテナ１５２４を備える。モバイルデバイス１５０６の機能モジュールの概要は、メガネ１５０４をイヤホン１１０Ｒ、１１０Ｌに置き換えて、図４〜７との関連において本明細書で提供されており、開示の簡潔性および明確性のために繰り返されない。モバイルデバイス１５０６は、例えば、検出サブシステム、検出サブシステム５１６と同様の電極入力回路または図４〜７との関連において記述された電極入力回路６０２を備える。
【００９６】
したがって、ここで使用中の図１５、１、２、４〜７、および１０を参照し、患者１０６は、電極１５０８Ｒ、１５０８Ｌが患者の皮膚と十分な接触を確保しているメガネ１５０４着用し、そしてプラグ１５１２をモバイルデバイス１５０６の対応するジャック１５１４と連結することにより、電極１５０８Ｒ、１５０８Ｌをモバイルデバイス１５０６に電気的に接続する。図１５に示されるプラグ／ジャック連結構成以外、すべての好適な連結構成が本開示の範囲内にあると考えられていることを理解されたい。そのように他の連結構成は、限定されないが、他の好適な連結機構の中でも、データポート、ＵＳＢ、ソケット、オーディオ／ビデオタイプコネクタを含む。検出装置１５０２が所定位置に配置されると、患者１０６はＩＥＭデバイス１０４を摂取し、そして胃１１６の消化液１１４内で溶解されると、ＩＥＭデバイス１０４は電源投入され、特有の電流シグネチャ信号の伝導を開始し、これは、他の情報の中でも、ＩＥＭデバイス１０４、薬物、患者１０６と関連する情報を符号化する。特有の電流シグネチャ信号は、電極１５０８Ｒ、１５０８Ｌによって検出され、電気伝導体１５１０Ｒ、１５１０Ｌを介してモバイルデバイス１５０６と接続され、検出サブシステム５１６の電極入力回路６０２部分は信号を復号化し、その情報をモバイルデバイス１５０６の処理サブシステム５１２へ通信する。他の態様では、検出サブシステム５１２は、限定されないが、図１４との関連で記述される専用処理エンジン１４０２を含み得る。
【００９７】
図１６は、摂取可能事象マーカによって生成される電気信号を検出するためにモバイルデバイス１６１０と無線で接続されるメガネ１６０８内に一体化される電極１６０２Ｒ、１６０２Ｌ、検出回路モジュール１６０４、およびアンテナ１６０６を備えるシステム１６００の一態様を示す図である。図１６に示されるように、電極入力回路および検出サブシステムを含む検出回路モジュール１６０４は、例えば図１５に示されるように、電気伝導体１５１０Ｒ、１５１０Ｌを基本的に不要とするために、メガネ１６０８内に埋め込まれる。検出回路モジュール１６０４によって送信される無線信号１６１２は、無線デバイス１６１０のオンボードアンテナ１６１４によって受信され得る。一態様では、検出回路モジュール１６０４は、Ｂｌｕｅｔｏｏｔｈ（登録商標）または近距離でデータ交換するための他の好適な独自のオープンな無線の技術標準を使用して、モバイルデバイス１６１０と通信し得る。一態様では、Ｗｉ−Ｆｉ（登録商標）（ＩＥＥＥ８０２．１１）等の他の無線通信は、電子デバイスを連結するための無線標準である。
【００９８】
一態様では、メガネ１６０８は、検出回路モジュール１６０４に対して電力を供給するために、メガネ１６０８の中に埋め込まれたバッテリ１６１６を含み得る。他の態様では、ＲＦＩＤタグまたは誘導結合により、一般的に採用されるワイヤレス電力伝送技術がバッテリ１６１６の代わりに採用され得る。一態様では、モバイルデバイス１６１０は、質問信号を検出回路モジュール１６０４に送信するように構成可能で、これは検出回路モジュール１６０４の電源を投入して読み取りを開始し、情報をモバイルデバイス１６１０に無線で返信するために仕える。
【００９９】
検出回路モジュール１６０４がＩＥＭデバイスに関連する情報をモバイルデバイス１６１０に送信すると、モバイルデバイス１６１０は、セルラーネットワーク、Ｗｉ−Ｆｉ（登録商標）、Ｂｌｕｅｔｏｏｔｈ（登録商標）、または他の好適な無線通信技術を介して、ローカル無線ノードまたはリモートノードに情報を転送するためのハブとして機能することができる。
【０１００】
図１７は、摂取可能事象マーカによって生成される電気信号を検出するためにモバイルデバイス１６１０と無線で接続されるサンバイザー１７０８内に一体化される電極１７０２Ｒ、１７０２Ｌ、検出回路モジュール１６０４、およびアンテナ１６０６を備えるシステム１７００の一態様を示す図である。図１７に示されるように、電極入力回路および検出サブシステムを含む検出回路モジュール１６０４は、例えば、電気伝導体が電極１７０２Ｒ、１７０２Ｌをモバイルデバイス１６１０と接続することを基本的に不要とするために、サンバイザー１７０８に埋め込まれる。検出回路モジュール１６０４によって送信される無線信号１６１２は、無線デバイス１６１０のオンボードアンテナ１６１４によって受信され得る。一態様では、検出回路モジュール１６０４は、Ｂｌｕｅｔｏｏｔｈ（登録商標）または近距離でデータ交換するための他の好適な独自のオープンな無線の技術標準を使用して、モバイルデバイス１６１０と通信し得る。一態様では、Ｗｉ−Ｆｉ（登録商標）（ＩＥＥＥ８０２．１１）等の他の無線通信は、電子デバイスと連結するための無線標準である。
【０１０１】
一態様では、サンバイザー１７０８は、電力を検出回路モジュール１６０４に供給するために、サンバイザー１７０８の中に埋め込まれたバッテリ１６１６を含んでもよい。他の態様では、ＲＦＩＤタグまたは誘導結合により、一般的に採用されるワイヤレス電力伝送技術が、バッテリ１６１６の代わりに採用されてもよい。一態様では、モバイルデバイス１６１０は、質問信号を検出回路モジュール１６０４に送信するように構成可能で、これは検出回路モジュール１６０４の電源を投入してＩＥＭデバイスからの読み取りを開始し、情報をモバイルデバイス１６１０に無線で返信するために仕える。
【０１０２】
検出回路モジュール１６０４がＩＥＭデバイスに関連する情報をモバイルデバイス１６１０に送信すると、モバイルデバイス１６１０は、セルラーネットワーク、Ｗｉ−Ｆｉ（登録商標）、Ｂｌｕｅｔｏｏｔｈ（登録商標）、または他の好適な無線通信技術を介して、ローカル無線ノードまたはリモートノードに情報を転送するためのハブとして機能することができる。
【０１０３】
図１８は摂取可能事象マーカによって生成される電気信号を検出するために、モバイルデバイス１６１０に無線で接続され、ヘルメット１８０８内に一体化された、電極１８０２Ｒ、１８０２Ｌ、専用回路モジュール１６０４、およびアンテナ１６０６を備えるシステム１８００の一態様を示す図である。図１８に示されるように、電極入力回路および検出サブシステムを含む検出回路モジュール１６０４は、例えば、電気伝導体が電極１８０２Ｒ、１８０２Ｌをモバイルデバイス１６１０と接続することを基本的に不要とするために、ヘルメット１８０８内に埋め込まれる。検出回路モジュール１６０４によって送信される無線信号１６１２は、無線デバイス１６１０のオンボードアンテナ１６１４によって受信され得る。一態様では、検出回路モジュール１６０４は、Ｂｌｕｅｔｏｏｔｈ（登録商標）または近距離でデータ交換するための他の好適な独自のオープンな無線の技術標準を使用して、モバイルデバイス１６１０と通信し得る。一態様では、Ｗｉ−Ｆｉ（登録商標）（ＩＥＥＥ８０２．１１）等の他の無線通信は、電子デバイスを連結するための無線標準である。
【０１０４】
一態様では、ヘルメット１８０８は電力を検出回路モジュール１６０４に供給するために、ヘルメット１８０８の中に埋め込まれたバッテリ１６１６を含み得る。他の態様では、ＲＦＩＤタグまたは誘導結合により、一般的に採用されるワイヤレス電力伝送技術が、バッテリ１６１６の代わりに採用されてもよい。一態様では、モバイルデバイス１６１０は、質問信号を検出回路モジュール１６０４に送信するように構成可能で、これは検出回路モジュール１６０４の電源を投入してＩＥＭデバイスからの読み取りを開始し、情報をモバイルデバイス１６１０に無線で返信するために仕える。
【０１０５】
検出回路モジュール１６０４がＩＥＭデバイスに関連する情報をモバイルデバイス１６１０に送信すると、モバイルデバイス１６１０は、セルラーネットワーク、Ｗｉ−Ｆｉ（登録商標）、Ｂｌｕｅｔｏｏｔｈ（登録商標）、または他の好適な無線通信技術を介して、ローカル無線ノードまたはリモートノードに情報を転送するためのハブとして機能することができる。
【０１０６】
図１９は、摂取可能事象マーカによって生成される電気信号を検出するためのモバイルデバイス１６１０に無線で接続される補聴器対１９０４Ｒ、１９０４Ｌに一体化される電極１９０２Ｒ、１９０２Ｌ、検出回路モジュール１６０４Ｒ、１６０４Ｌ、およびアンテナ１６０６Ｒを備えるシステム１９００の一態様を示す図である。図１９に示されるように、電極入力回路および検出サブシステムを含む検出回路モジュール１６０４Ｒ、１６０４Ｌは、例えば、電気伝導体が電極１９０２Ｒ、１９０２Ｌをモバイルデバイス１６１０と接続することを基本的に不要とするために、補聴器対１９０４Ｒ、１９０４Ｌに埋め込まれる。検出回路モジュール１６０４Ｒ、１６０４Ｌのいずれか１つにより送信される無線信号１６１２は、無線デバイス１６１０のオンボードアンテナ１６１４によって受信され得る。一態様では、検出回路モジュール１６０４Ｒ、１６０４Ｌのいずれか１つは、Ｂｌｕｅｔｏｏｔｈ（登録商標）または近距離でデータ交換するための他の好適な独自のオープンな無線の技術標準を使用して、モバイルデバイス１６１０と通信し得る。一態様では、Ｗｉ−Ｆｉ（登録商標）（ＩＥＥＥ８０２．１１）等の他の無線通信は、電子デバイスを連結するための無線標準である。
【０１０７】
一態様では、補聴器１９０４Ｒ、１９０４Ｌは電力を検出回路モジュール１６０４Ｒ、１６０４Ｌのいずれか１つに供給するために、その中に埋め込まれたバッテリ１６１６を含み得る。他の態様では、ＲＦＩＤタグまたは誘導結合により、一般的に採用されるワイヤレス電力伝送技術が、バッテリ１６１６の代わりに採用されてもよい。一態様では、モバイルデバイス１６１０は、検出回路モジュール１６０４Ｒ、１６０４Ｌのいずれか１つの電源を投入するために仕え、ＩＥＭデバイスからの読み取り及び情報をモバイルデバイス１６１０に無線で返信することを開始する、検出回路モジュール１６０４Ｒ、１６０４Ｌのいずれか１つに質問信号を送信するように構成し得る。
【０１０８】
検出回路モジュール１６０４Ｒ、１６０４Ｌのいずれか１つがＩＥＭデバイスに関連する情報をモバイルデバイス１６１０に送信すると、モバイルデバイス１６１０は、セルラーネットワーク、Ｗｉ−Ｆｉ（登録商標）、Ｂｌｕｅｔｏｏｔｈ（登録商標）、または他の好適無線通信技術を介して、ローカル無線ノードまたはリモートノードに情報を転送するためのハブとして機能することができる。
【０１０９】
図２０は、摂取可能事象マーカによって生成される電気信号を検出するためにモバイルデバイス１６１０に無線で接続される椅子２００８と一体化される、電極２００４Ｒ、２００４Ｌ、検出回路モジュール１６０４、およびアンテナ１６０６を備えるシステム２０００の一態様を示す図である。図２０に示されるように、電極入力回路および検出サブシステムを含む検出回路モジュール１６０４は、例えば、電気伝導体が電極２００２Ｒ、２００２Ｌをモバイルデバイス１６１０と接続することを基本的に不要とするために、椅子２００８に埋め込まれる。検出回路モジュール１６０４によって、送信される無線信号１６１２は、無線デバイス１６１０のオンボードアンテナ１６１４によって受信され得る。一態様では、検出回路モジュール１６０４は、Ｂｌｕｅｔｏｏｔｈ（登録商標）または近距離でデータ交換のための他の好適な独自のオープンな無線技術標準を使用して、モバイルデバイス１６１０と通信し得る。他の態様では、Ｗｉ−Ｆｉ（登録商標）（ＩＥＥＥ８０２．１１）等の他の無線通信は、電子デバイスを連結するための無線標準である。
【０１１０】
一態様では、椅子２００８は、電力を検出回路モジュール１６０４に供給するために、椅子２００８の中に埋め込まれたバッテリ１６１６を含むことができ、または家庭用交流（ＡＣ）主ソケットにプラグを挿入することもできる。他の態様では、ＲＦＩＤまたは誘導結合により、一般的に採用されるワイヤレス電力伝送技術が、バッテリ１６１６の代わりに採用されてもよい。一態様では、モバイルデバイス１６１０は質問信号を検出回路モジュール１６０４に送信するように構成可能で、これは検出回路モジュール１６０４の電源を投入してＩＥＭデバイスからの読み取りを開始し、情報をモバイルデバイス１６１０に無線で返信するために仕える。
【０１１１】
検出回路モジュール１６０４がＩＥＭデバイスに関連する情報をモバイルデバイス１６１０に送信すると、モバイルデバイス１６１０は、セルラーネットワーク、Ｗｉ−Ｆｉ（登録商標）、Ｂｌｕｅｔｏｏｔｈ（登録商標）、または他の好適な無線通信技術を介して、ローカル無線ノードまたはリモートノードに情報を転送するためのハブとして機能することができる。
【０１１２】
図２１は摂取可能事象マーカデバイスの一態様に相当するシステム２１００を示す図である。さまざまな態様において、例えば、図１および２に示されるＩＥＭデバイス１０４は、図２１に示されるシステム２１００に従って実装され得る。システム２１００は、前述のように、薬物の源を判定し、また投薬の正しいタイプおよび正しい服用量の少なくとも１つが患者に配達されたことを確認するため、さらにいくつかの態様においては、患者が薬物製品を服用するときを判定するために、任意の薬物製品と関連して使用可能である。しかしながら、本開示の範囲は、システム２１００が使用され得る環境および薬物製品によって限定されない。例えば、システム２１００は、無線モード、システム２１００をカプセル内に配置し、カプセルを導電性流体内に配置することによるガルバニックモード、またはそれらの組み合わせで、またはシステム２１００を空気にさらされることのいずれかで作動されてもよい。例えば導電性流体内に配置されると、カプセルは、一定時間に亘って溶解し、システム２１００を導電性流体に放出する。したがって、一態様では、カプセルは、システム２１００を含有するが、製品を含有しなくてもよい。その結果、そのようなカプセルは、導電性流体が存在する任意の環境で、任意の製品と共に使用されてもよい。例えば、カプセルは、ジェット燃料、塩水、トマトソース、モータオイル、または任意の同様の製品が充填された容器に投下されてもよい。加えて、システム２１００を含有するカプセルは、医薬品が服用された際等の事象の発生を記録するために、任意の医薬品が摂取されるのと同時に摂取されてもよい。
【０１１３】
システム２１００が薬物または医薬品と組み合わせられるときの、図２１に示されるシステム２１００の特定の実施例では、医薬品もしくは錠剤が摂取されるか、または空気にさらされる際に、システム２１００は、ガルバニックモードで作動される。システム２１００は、例えば、電極アセンブリ（例えば、本明細書に記載される１０８・・・等）によって検出される特異的電流シグネチャを生成するためにコンダクタンスを制御し、それによって、医薬品が服用されたことを示す。無線モードで作動される際、システムは、検出されるシステム２１００と関連付けられる特有の電圧シグネチャを生成するように、容量性プレートの変調を制御する。システム２１００のさまざまな態様が、同一出願人による出願として記載されており、２００６年４月２８日に出願され、「ファルマ・インフォーマティックス・システム」（Ｐｈａｒｍａ−Ｉｎｆｏｒｍａｔｉｃｓ  Ｓｙｓｔｅｍ）を発明の名称とし、米国特許出願公開第２００８／０２８４５９９号明細書として公開された明細書、２００９年４月２７日に出願され、「高信頼摂取可能事象マーカ及びその使用方法」（Ｈｉｇｈｌｙ  Ｒｅｌｉａｂｌｅ  Ｉｎｇｅｓｔｉｂｌｅ  Ｅｖｅｎｔ  Ｍａｒｋｅｒｓ  ａｎｄ  Ｍｅｔｈｏｄｓ  ｆｏｒ  Ｕｓｉｎｇ  Ｓａｍｅ）を発明の名称とし、米国特許出願公開第２０１１−００５４２６５号明細書として公開された明細書、２０１１年４月６日に出願され、「小型摂取可能デバイス」（Ｍｉｎｉａｔｕｒｅ  Ｉｎｇｅｓｔｉｂｌｅ  Ｄｅｖｉｃｅ）を発明の名称とする国際特許出願第ＰＣＴ／ＵＳ１１／３１５３６号明細書、２０１０年１１月２２日に出願され、「医薬品を有する摂取可能装置」（Ｉｎｇｅｓｔｉｂｌｅ  Ｄｅｖｉｃｅ  ｗｉｔｈ  Ｐｈａｒｍａｃｅｕｔｉｃａｌ  Ｐｒｏｄｕｃｔ）を発明の名称とする米国特許出願第６１／４１６，１５０号明細書、２０１０年１２月２９日に出願され、「集積回路のための無線エネルギー源」（Ｗｉｒｅｌｅｓｓ  Ｅｎｅｒｇｙ  Ｓｏｕｒｃｅｓ  ｆｏｒ  Ｉｎｔｅｇｒａｔｅｄ  Ｃｉｒｃｕｉｔｓ）を発明の名称とする米国特許出願第６１／４２８，０５５号明細書、２０１１年７月１１日に出願され、「遠隔起動を有する通信システム」（Ｃｏｍｍｕｎｉｃａｔｉｏｎ
Ｓｙｓｔｅｍ  ｗｉｔｈ  Ｒｅｍｏｔｅ  Ａｃｔｉｖａｔｉｏｎ）を発明の名称とする米国特許出願第１３／１８０，５１６号明細書、２０１１年７月１１日に出願され、「複数電源を有する通信システム」（Ｃｏｍｍｕｎｉｃａｔｉｏｎ  Ｓｙｓｔｅｍ  ｗｉｔｈ
Ｍｕｌｔｉｐｌｅ  Ｓｏｕｒｃｅｓ  ｏｆ  Ｐｏｗｅｒ）を発明の名称とする米国特許出願第１３／１８０，５３９号明細書、２０１１年７月１１日に出願され、「改良型部分電源を有する通信システム及びその製造方法」（Ｃｏｍｍｕｎｉｃａｔｉｏｎ  Ｓｙｓｔｅｍ  ｗｉｔｈ  Ｅｎｈａｎｃｅｄ  Ｐａｒｔｉａｌ  Ｐｏｗｅｒ  ａｎｄ  Ｍｅｔｈｏｄ  ｏｆ  Ｍａｎｕｆａｃｔｕｒｉｎｇ  Ｓａｍｅ）を発明の名称とする米国特許出願第１３／１８０，５２５号明細書、２０１１年７月１１日に出願され、「投薬装置に共通パッケージ化された多剤投与を使用する通信システム」（Ｃｏｍｍｕｎｉｃａｔｉｏｎ  Ｓｙｓｔｅｍ  Ｕｓｉｎｇ  Ｐｏｌｙｐｈａｒｍａｃｙ  Ｃｏ−Ｐａｃｋａｇｅｄ  Ｍｅｄｉｃａｔｉｏｎ  Ｄｏｓｉｎｇ  Ｕｎｉｔ）を発明の名称とする米国特許出願第１３／１８０，５３８号明細書、２０１１年７月１１日に出願され、「摂取可能製品に一体化された通信システム」（Ｃｏｍｍｕｎｉｃａｔｉｏｎ  Ｓｙｓｔｅｍ  Ｉｎｃｏｒｐｏｒａｔｅｄ  ｉｎ  ａｎ  Ｉｎｇｅｓｔｉｂｌｅ  Ｐｒｏｄｕｃｔ）を発明の名称とする米国特許出願第１３／１８０，５０７号明細書に記載されている。これらの各開示は参照によって全体が本明細書中に組み込まれる。
【０１１４】
一態様では、システム２１００は、フレームワーク２１０２を含む。フレームワーク２１０２は、システム２１００のシャーシであり、複数の構成要素がフレームワーク２１０２に取り付けられる、その上に堆積される、またはそれに固定される。システム２１００の本態様では、消化可能な材料２１０４は、フレームワーク２１０２と物理的に関連付けられる。材料２１０４は、フレームワーク上に化学的に堆積されてもよく、その上に蒸着されてもよく、それに固定されてもよく、またはその上に積み重ねられてもよく、それらのすべては、本明細書において、フレームワーク２１０２に対して「堆積する」と称され得る。材料２１０４は、フレームワーク２１０２の片側上に堆積される。材料２１０４として使用することができる対象の材料には、Ｃｕ、ＣｕＣｌ、またはＣｕＩが挙げられるが、これらに限定されない。材料２１０４は、他の手順の中でも特に、物理蒸着、電着、またはプラズマ蒸着によって堆積される。材料２１０４は、約５〜約１００μｍの厚さ等の約０．０５〜約５００μｍの厚さであってもよい。形状は、シャドウマスク堆積、またはフォトリソグラフィおよびエッチングによって制御される。加えて、材料を堆積するための１つの領域のみが示されているが、各システム２１００は、所望により、材料２１０４が堆積され得る２つ以上の電気的に特異的な領域を含有してもよい。
【０１１５】
図２１に示される、反対側である異なる側では、別の消化可能な材料２１０６が堆積され、それにより材料２１０４、２１０６が異種となり、互いに絶縁される。図示されていないが、選択される異なる側は、材料２１０４として選択された側の隣の側であってもよい。本開示の範囲は、選択される側によって限定されず、「異なる側」という用語は、最初に選択される側とは異なる、複数の側のいずれかを意味することができる。さまざまな態様では、異種材料は同じ側の異なる位置に配置され得る。さらに、システムの形状は、正方形として示されているが、形状は、幾何学的に好適な任意の形状であってもよい。材料２１０４、２１０６は、システム２１００が体液等の導電性液体と接触する際に、それらが電位差を生じるように選択される。材料２１０６の対象の材料には、Ｍｇ、Ｚｎ、または他の電気的陰性金属が挙げられるが、これらに限定されない。材料２１０４に関して上述されるように、材料２１０６は、フレームワーク上に化学的に堆積されてもよく、その上に蒸着されてもよく、それに固定されてもよく、またはその上に積み重ねられてもよい。また、材料２１０６（及び必要に応じて材料２１０４）をフレームワーク２１０２に接着するのを助長するために、接着層が必要となる場合もある。材料２１０６の典型的な接着層は、Ｔｉ、ＴｉＷ、Ｃｒ、または同様の材料である。アノード材料および接着層は、物理蒸着、電着、またはプラズマ蒸着によって堆積されてもよい。材料２１０６は、約５〜約１００μｍの厚さ等の約０．０５〜約５００μｍの厚さであってもよい。しかしながら、本開示の範囲は、材料のいずれかの厚さによっても、材料をフレームワーク２１０２に堆積させる、もしくは固定するために使用されるプロセスの種類によっても限定されない。
【０１１６】
説明される開示によると、材料２１０４、２１０６は、異なる電気化学ポテンシャルを有する材料の任意の対であることができる。加えて、システム２１００が生体内で使用される態様では、材料２１０４、２１０６は、吸収することができるビタミンであってもよい。より具体的には、材料２１０４、２１０６は、システム２１００が動作する環境に適切な任意の２つの材料で作製することができる。例えば、摂取可能な製品と共に使用される際、材料２１０４、２１０６は、異なる電気化学ポテンシャルを有する摂取可能な材料の任意の対である。例示的な例には、システム２１００が胃酸等のイオン溶液と接触する場合が挙げられる。好適な材料は、金属に限定されず、特定の態様では、対合される材料は、金属および非金属から選択される、例えば、金属（Ｍｇ等）および塩（ＣｕＣｌまたはＣｕＩ等）で構成される対である。活性電極材料に関して、好適に異なる電気化学電位（電圧）および低界面抵抗を有する物質、金属、塩、またはインターカレーション化合物の任意の対合が好適である。
【０１１７】
対象の材料および対象の対合には、以下の表１に示すものが挙げられるが、これらに限定されない。一態様では、例えば、材料が導電性液体と接触する際に材料間に生じる電位を高めるために、金属の一方または両方が、非金属でドープされてもよい。特定の態様でドープ剤として使用されてもよい非金属には、硫黄、ヨウ素等が挙げられるが、これらに限定されない。別の態様では、材料は、アノードとしてヨウ化銅（ＣｕＩ）、およびカソードとしてマグネシウム（Ｍｇ）である。本開示の態様は、人体に無害な電極材料を使用する。
【０１１８】
【表１】
2020127235.tif 000003
【０１１９】
したがって、システム２１００が導電性流体と接触する際、異種材料２１０４、２１０６の間の導電性流体を通る電流経路が形成される。制御デバイス２１０８は、フレームワーク２１０２に固定され、材料２１０４、２１０６に電気的に接続される。制御デバイス２１０８は、電子回路、例えば、材料２１０４、２１０６の間のコンダクタンスを制御し、変化させることができる制御論理回路を含む。
【０１２０】
異種材料２１０４、２１０６の間に生じる電位は、システムを動作させるための電力を供給し、また、導電性流体およびシステム２１００を通る電流を生成する。一態様では、システム２１００は、直流モードで動作する。代替態様では、システム７２０は、交流と同様に、電流の方向が周期的に反転されるように、電流の方向を制御する。システムが、流体もしくは電解質構成要素が生理液、例えば、胃酸によって提供される、導電性流体または電解質に到達する際、システム２１００の外部に、異種材料２１０４、２１０６の間の電流の経路が完成され、システム２１００を通る電流経路は、制御デバイス２１０８によって制御される。電流経路の完成は電流が流れることを可能にし、それを受けて受信機（図示せず）は、電流の存在を検出し、システム２１００が作動されて、所望の事象が発生していること、または発生したことを認識することができる。
【０１２１】
一態様では、２つの異種材料２１０４、２１０６は、バッテリ等の直流電源に必要とされる２つの電極と機能が類似する。導電性液体は、電源を完成するために必要とされる電解質としての機能を果たす。記載される完成した電源は、システム２１００の材料２１０４、２１０６の間の電気化学反応によって規定され、体液によって使用可能となる。完成した電源は、胃液、血液、または他の体液およびいくつかの組織等のイオンまたは導電溶液における電気化学的伝導を活用する電源と見なされてもよい。加えて、環境は、体以外のものであってもよく、液体は、任意の導電性液体であってもよい。例えば、導電性流体は、塩水または金属ベースの塗料であってもよい。
【０１２２】
特定の態様では、２つの異種材料２１０４、２１０６は、材料の追加の層によって、周囲の環境から遮蔽される。したがって、遮蔽体が溶解され、２つの異種材料２１０４、２１０６が標的部位に露出される際に、電位が生じる。
【０１２３】
特定の態様では、完全な電源または供給電源は、活性電極材料、電解質、および電流コレクタ、パッケージング等の不活性材料で構成されるものである。活性材料は、異なる電気化学電位を有する材料の任意の対である。好適な材料は、金属に限定されず、特定の態様では、対合される材料は、金属および非金属から選択される、例えば、金属（Ｍｇ等）および塩（ＣｕＩ等）で構成される対である。活性電極材料に関して、好適に異なる電気化学ポテンシャル（電圧）および低界面抵抗を伴う物質、金属、塩、またはインターカレーション化合物の任意の対合が好適である。
【０１２４】
電極を形成する材料として、さまざまな異なる材料が採用されてもよい。特定の態様では、電極材料は、標的の生理学的な部位、例えば、胃と接触すると、識別子のシステムを駆動するのに十分な電圧を提供するように選択される。特定の態様では、電源の金属が標的の生理学的な部位と接触すると電極材料によって提供される電圧は、０．１Ｖ以上、例えば、０．３Ｖ以上等の０．０１Ｖ以上を含む、０．５ボルト以上を含む、および１．０ボルト以上を含む、０．００１Ｖ以上であり、特定の態様では、電圧は、約０．０１〜約１０Ｖ等の約０．００１〜約１０ボルトの範囲に及ぶ。
【０１２５】
さらに図２１を参照すると、異種材料２１０４、２１０６は、制御デバイス２１０８を作動させる電位を提供する。制御デバイス２１０８が作動されるか、または電源が投入されると、制御デバイス２１０８は、第１の材料および第２の材料２１０４、２１０６の間のコンダクタンスを特有の方法で変化させることができる。制御デバイス２１０８は、第１の材料および第２の材料２１０４、２１０６の間のコンダクタンスを変化させることによって、システム２１００を包囲する導電性液体を通る電流の大きさを制御することができる。これは、体内または体外に位置付けることができる受信機（図示せず）によって検出され、測定されることができる、特有の電流シグネチャをもたらす。２００９年１２月１５日に出願され、「ボディ・アソシエイテッド受信機及び方法」（Ｂｏｄｙ−Ａｓｓｏｃｉａｔｅｄ  Ｒｅｃｅｉｖｅｒ  ａｎｄ  Ｍｅｔｈｏｄ）を発明の名称とし、米国特許出願公開第２０１０／０３１２１８８号明細書として公開された米国特許出願第１２／６７３，３２６号明細書において受信機はより詳細に開示されており、これは参照によってその全体が本明細書に組み込まれる。材料間の電流経路の大きさの制御に加えて、非導電性材料、膜、または「スカート」を使用して電流経路の「長さ」を増やし、従って、コンダクタンス経路を増強する作用をする。これに関しては、２００８年９月２５日に出願されて「仮想ダイポール信号増幅を有するインボディ装置」(Ｉｎ−Ｂｏｄｙ  Ｄｅｖｉｃｅ  ｗｉｔｈ  Ｖｉｒｔｕａｌ  Ｄｉｐｏｌｅ  Ｓｉｇｎａｌ  Ａｍｐｌｉｆｉｃａｔｉｏｎ)を名称とする米国特許出願第１２／２３８，３４５号明細書に開示されている。この特許出願の全内容は、参照により本明細書に組み込まれる。代替として、本明細書の開示を通して、「非導電材料」、「膜」、および「スカート」という用語は、本態様および本明細書の特許請求の範囲の範囲に影響を及ぼすことなく、「電流経路エクステンダ」という用語と交換可能である。２１０５、２１０７のそれぞれに一部が示されているスカートは、フレームワーク２１０２と関連付けられてもよく、例えば、それに固定されてもよい。スカートの様々な形状および構成が、本発明の様々な態様の範囲内として意図される。例えば、システム２１００は、スカートによって完全に、または部分的に包囲されてもよく、スカートは、システム２１００の中心軸に沿って、または中心軸から外れて配置されてもよい。したがって、本明細書において特許請求される本開示の範囲は、スカートの形状またはサイズによって限定されない。さらに、他の態様では、異種材料２１０４、２１０６は、異種材料２１０４、２１０６の間の任意の規定領域内に位置付けられる１つのスカートによって分離されてもよい。
【０１２６】
システム２１００はグランドを介してアースされ得る。システム７２０はまた、センサモジュールを含んでもよい。動作中、第１の材料２１０４と第２の材料２１０６との間で、システム２１００と接触する導電性流体を通るイオンまたは電流経路が確立される。第１の材料および第２の材料２１０４、２１０６の間に生じる電位は、第１の材料および第２の材料２１０４、２１０６と導電性流体との間の化学反応を通して生じる。一態様では、第１の材料２１０４の表面は、平面ではなく、むしろ不規則な表面である。不規則な表面は、材料の表面積を増加させ、ひいては、導電性流体と接触する面積を増加させる。
【０１２７】
一態様では、第１の材料２１０４の表面において、材料２１０４と周りの導電性流体との間に電気化学的反応があり、化学種が導電性流体に放出される。本明細書中における使用では、「化学種(mass)」という用語は材料２１０４上で発生する電気化学的反応の一部として、導電性流体から除去または追加され得るあらゆるイオン種あるいは非イオン種を含む。一例は材料がＣｕＣｌで、導電性流体と接触すると、ＣｕＣｌはＣｕ金属（固体）に変換され、Ｃｌ−は溶液中に放出されるという瞬間を含む。陽イオンの導電性流体への流れは電流経路を介する。陰イオンは反対方向に流れる。同様にして、第２の材料２１０６が関与する電気化学的反応があり、これはイオンが導電性流体に放出されるまたは導電性流体から除去されるという結果になる。この例では、材料２１０４における陰イオンの放出および材料３６による陽イオンの放出は、制御デバイス３８により制御される電流フローを通して互いに関連する。反応速度従ってイオン放出速度あるいは電流は、制御デバイス２１０８によって制御される。制御デバイス２１０８はその内部コンダクタンスを変更することによりイオン流速を増減可能で、これはインピーダンス、従って材料２１０４、２１０６における電流フローおよび反応速度を変更する。反応速度の制御を通して、システム２１００はイオン流における情報を符号化可能である。したがって、システム２１００はイオン放出またはイオン流を使用して情報を符号化する。
【０１２８】
制御デバイス２１０８は、周波数が変調され、振幅が一定である場合と同様に、速度または大きさをほぼ一定に保ちながら、固定のイオン交換速度または電流の大きさの持続時間を変動させることができる。また、制御デバイス２１０８は、持続時間をほぼ一定に保ちながら、イオン交換速度または電流の大きさのレベルを変動させることもできる。したがって、制御デバイス２１０８は、持続時間の変化の様々な組み合わせを使用し、速度または大きさを変化させて、電流またはイオン交換において情報を符号化する。例えば、制御デバイス２１０８は、以下の技術、すなわち、二位相偏移変調（ＰＳＫ）、周波数変調（ＦＭ）、振幅変調（ＡＭ）、オンオフキーイング、およびオンオフキーイングを用いたＰＳＫのいずれかであってもよいが、これらに限定されない技術を使用してもよい。
【０１２９】
システム２１００のさまざまな態様は、制御デバイス２１０８の一部として、電子構成要素を備え得る。存在し得る構成要素には、論理回路および／またはメモリ素子、集積回路、インダクタ、抵抗器、ならびにさまざまなパラメータを測定するためのセンサが挙げられるが、これらに限定されない。各構成要素は、フレームワークおよび／または別の構成要素に固定されてもよい。支持体の表面上の構成要素は、任意の好都合な構成で配置されてもよい。固体支持体の表面上に２つ以上の構成要素が存在する場合、相互接続を行ってもよい。
【０１３０】
システム２１００は、異種材料間のコンダクタンスを制御し、したがってイオン交換または電流の速度を制御する。システムは、特有の方法でコンダクタンスを変化させることにより、イオン交換および電流シグネチャにおいて情報を符号化することができる。イオン交換または電流シグネチャは、特定のシステムを一意的に識別するために使用される。加えて、システム２１００は、様々な異なる特有の交換またはシグネチャを生成でき、したがって、追加の情報を付与することができる。例えば、第２のコンダクタンス変化パターンに基づく第２の電流シグネチャを使って、追加の情報を付与でき、この情報は、物理的環境に関連付けることができる。第１の電流シグネチャは、チップ上の発振器を維持する非常に低い電流状態であってよく、第２の電流シグネチャは、第１の電流シグネチャに付随する電流状態より少なくとも１０倍高い電流状態であってよい。
【０１３１】
ここで図２２を参照すると、摂取可能デバイスの別の態様が、システム２０４０としてより詳細に示されている。システム２０４０はフレームワーク２０４２を含む。このシステム２０４０の態様では、消化可能あるいは溶解可能材料２０４４がフレームワーク２０４２の片側の一部に堆積される。フレームワーク２０４２の同じ側の異なる部分において、別の消化可能材料２０４６が堆積され、材料２０４４および２０４６は異種である。より具体的には、材料２０４４および２０４６は、体液等の導電性液体と接触したときに電位差を形成するように選択される。このようにして、システム２０４０が導電性液体と接触したときおよび／または部分的に接触したときは、例として図２３に示されている電流経路は、材料２０４４および２０４６間の導電性液体を通って形成される。制御デバイス２０４８はフレームワーク２０４２に固定され、そして材料２０４４および２０４６に電気的に接続される。制御デバイス２０４８は、材料２０４４および２０４６間の導電路の一部を制御することが可能な電子回路を含む。材料２０４４および２０４６は非導電性のスカート２０４９によって分離される。スカート２０４９のさまざまな例は、２００９年４月２８日に出願され、「高信頼性の摂取可能事象マーカ及びその製造方法」（ＨＩＧＨＬＹ  ＲＥＬＩＡＢＬＥ  ＩＮＧＥＳＴＩＢＬＥ  ＥＶＥＮＴ  ＭＡＲＫＥＲＳ  ＡＮＤ
ＭＥＴＨＯＤＳ  ＯＦ  ＵＳＩＮＧ  ＳＡＭＥ）を発明の名称とする米国仮特許出願第６１／１７３，５１１号明細書、２００９年４月２８日に出願されて「活性剤を有する信号増幅を備える摂取可能事象マーカ」（ＩＮＧＥＳＴＩＢＬＥ  ＥＶＥＮＴ  ＭＡＲＫＥＲＳ  ＨＡＶＩＮＧ  ＳＩＧＮＡＬ  ＡＭＰＬＩＦＩＥＲＳ  ＴＨＡＴ  ＣＯＭＰＲＩＳＥ  ＡＮ  ＡＣＴＩＶＥ  ＡＧＥＮＴ）を発明の名称とする米国仮特許出願第６１／１７３，５６４号明細書、および２００８年９月２５日に出願されて「仮想ダイポール信号増幅を有するインボディ・デバイス」（ＩＮ−ＢＯＤＹ  ＤＥＶＩＣＥ  ＷＩＴＨ  ＶＩＲＴＵＡＬ  ＤＩＰＯＬＥ  ＳＩＧＮＡＬ  ＡＭＰＬＩＦＩＣＡＴＩＯＮ）を発明の名称とする米国特許出願第１２／２３８，３４５号明細書に開示されている。それぞれの開示全体は参照によって本明細書に組み込まれる。
【０１３２】
制御デバイス２０４８が作動または電源投入されると、制御デバイス２０４８は材料２０４４および２０４６間のコンダクタンスを変更することができる。このようにして、制御デバイス２０４８は、システム２０４０を取り囲む導電性液体を通る電流の大きさを制御可能である。上に示されるように、システム２０３０に関しては、システム２０４０の活動をマークするために、システム２０４０に関連する特有の電流シグネチャは受信機（図示せず）によって検出されることできる。電流経路の「長さ」を増やすため、スカート２０４９の大きさが変更される。電流経路が長くなるにつれ、受信機が電流を検出することが容易になり得る。
【０１３３】
ここで図２３参照すると、図２１のシステム２０３０が作動状態で、そして導電性液体と接触いる状態で示される。システム２０３０はグランド２０５２を介してアースされている。システム２０３０はセンサモジュール２０７４も含み、これは図２４との関連においてより詳細に述べられる。イオンまたは電流経路２０５０は、システム２０３０と接触している導電性流体を通って材料２０３４と２０３６との間に形成される。材料２０３４および２０３６間で生じる電位は、材料２０３４／２０３６および導電性流体間の化学反応によって生じる。
【０１３４】
図２３Ａは材料２０３４の表面を示す分解図である。材料２０３４の表面は平面ではなく、どちらかというと示されているように不規則な表面２０５４である。不規則表面２０５４は材料の表面積を増加させ、それによって導電性流体と接触する面積が増加する。
【０１３５】
一態様では、材料２０３４の表面で、化学種が導電性流体中に放出されるように、材料２０３４と周囲の導電性流体との間に化学反応が起こる。本明細書で使用される場合、「化学種」という用語は、物質を形成する陽子および中性子を指す。一例としては、材料がＣｕＣｌであり、導電性流体と接触する際に、ＣｕＣｌが、溶液中でＣｕ（固体）およびＣｌ．ｓｕｐ．−になるという事例が挙げられる。導電流体へのイオン流動は、イオン経路２０５０によって描写される。同様に、材料２０３６と周囲の導電性流体との間に化学反応が起こり、イオンは、材料２０３６によって捕らえられる。材料２０３４でのイオンの放出、および材料２０３６によるイオンの捕捉は、全体としてイオン交換と称される。イオン交換速度、ひいては、イオン放出速度またはイオン流は、制御デバイス２０３８によって制御される。制御デバイス２０３８は、インピーダンスを変化させる、材料２０３４および２０３６との間のコンダクタンスを変化させることによって、イオン流速を増加または減少させることができる。システム２０３０は、イオン交換を制御することによって、イオン交換過程において情報を符号化することができる。したがって、システム２０３０は、イオン交換において情報を符号化するために、イオン放出を使用する。
【０１３６】
制御デバイス２０３８は、周波数が変調され、振幅が一定である場合と同様に、速度または大きさをほぼ一定に保ちながら、固定のイオン交換速度または電流の大きさの持続時間を変動させることができる。また、制御デバイス２０３８は、持続時間をほぼ一定に保ちながら、イオン交換速度または電流の大きさのレベルを変動させることもできる。したがって、制御デバイス２０３８は、持続時間の変化の様々な組み合わせを使用し、速度または大きさを変化させて、電流またはイオン交換において情報を符号化する。例えば、制御デバイス２０３８は、以下の技術、すなわち、二位相偏移変調（ＰＳＫ）、周波数変調、振幅変調、オンオフキーイング、およびオンオフキーイングを用いたＰＳＫのいずれかであってもよいが、これらに限定されない技術を使用してもよい。
【０１３７】
上述されるように、それぞれ図２１および２２それぞれのシステム２１００および２０４０等の本明細書に開示される様々な態様は、制御デバイス２０３８または制御デバイス２０４８の一部として電子構成要素を備える。存在し得る構成要素には、論理回路および／またはメモリ素子、集積回路、インダクタ、抵抗器、ならびにさまざまなパラメータを測定するためのセンサが挙げられるが、これらに限定されない。各構成要素は、フレームワークおよび／または別の構成要素に固定されてもよい。支持体の表面上の構成要素は、任意の好都合な構成で配置されてもよい。固体支持体の表面上に２つ以上の構成要素が存在する場合、相互接続を行ってもよい。
【０１３８】
上述されるように、システム２１００および２０４０は、異種材料間のコンダクタンスを制御し、したがってイオン交換または電流の速度を制御する。システムは、特有の方法でコンダクタンスを変化させることにより、イオン交換および電流シグネチャにおいて情報を符号化することができる。イオン交換または電流シグネチャは、特定のシステムを一意的に識別するために使用される。加えて、システム２１００および２０４０は、様々な異なる特有の交換またはシグネチャを生成でき、したがって、追加の情報を付与することができる。例えば、第２のコンダクタンス変化パターンに基づく第２の電流シグネチャを使って、追加の情報を付与でき、この情報は、物理的環境に関連付けることができる。第１の電流シグネチャは、チップ上の発振器を維持する非常に低い電流状態であってよく、第２の電流シグネチャは、第１の電流シグネチャに付随する電流状態より少なくとも１０倍高い電流状態であってよい。
【０１３９】
ここで、図２４を参照すると、制御デバイス２０３８の構成図が示されている。デバイス２０３０は、制御モジュール２０６２と、カウンタまたはクロック２０６４と、メモリ２０６６とを含む。加えて、デバイス２０３８は、センサモジュール２０７２、および図２３で参照されたセンサモジュール２０７４を含むことが示されている。制御モジュール２０６２は、材料２０３４に電気的に接続される入力２０６８と、材料２０３６に電気的に接続される出力２０７０とを有する。また、制御モジュール２０６２、クロック２０６４、メモリ２０６６、およびセンサモジュール２０７２／２０７４は、電力入力（いくつかは図示せず）も有する。これらの構成要素のそれぞれの電力は、システム２０３０が導電性流体と接触する際に、材料２０３４および２０３６と導電性流体との間の化学反応によって生じる電位によって供給される。制御モジュール２０６２は、システム２０３０の総インピーダンスを変化させる論理回路を通して、コンダクタンスを制御する。制御モジュール２０６２は、クロック２０６４に電気的に接続される。クロック２０６４は、制御モジュール２０６２にクロックサイクルを与える。制御モジュール２０６２のプログラムされる特性に基づき、設定数のクロックサイクルが経過した際、制御モジュール２０６２は、材料２０３４および２０３６の間のコンダクタンス特性を変化させる。このサイクルは、繰り返され、それによって制御デバイス２０３８は、特有の電流シグネチャ特性を生成する。また、制御モジュール２０６２は、メモリ２０６６にも電気的に接続される。クロック２０６４およびメモリ２０６６の両方は、材料２０３４および２０３６の間に生じる電位によって電力供給される。制御モジュール２０６２は、センサモジュール２０７２および２０７４にも電気的に接続され、センサモジュール２０７２および２０７４と通信する。示された態様では、センサモジュール２０７２は、制御デバイス２０３８の一部であり、センサモジュール２０７４は、別個の構成要素である。代替態様では、センサモジュール２０７２および２０７４の片方は、もう一方がなくとも使用することができ、本開示の範囲は、センサモジュール２０７２または２０７４の構造的または機能的位置によって限定されない。加えて、システム２０３０の任意の構成要素は、請求される本発明の範囲を限定することなく、機能的または構造的に移動されてもよく、組み合わせられてもよく、または再配置されてもよい。したがって、以下のモジュール、制御モジュール２０６２、クロック２０６４、メモリ２０６６、およびセンサモジュール２０７２または２０７４のすべての機能を実施するように設計される、１つの単一構造、例えば、プロセッサを有することが可能である。一方、電気的に接続され、通信することができる独立した構造で配置された機能的構成要素それぞれを有することも、本発明の範囲内である。再び図２４を参照すると、センサモジュール２０７２または２０７４は、以下のセンサ、温度センサ、圧力センサ、ｐＨレベルセンサ、および伝導率センサのいずれかを含むことができる。一態様では、センサモジュール２０７２または２０７４は、環境から情報を集め、アナログ情報を制御モジュール２０６２に通信する。次いで、制御モジュールは、アナログ情報をデジタル情報に変換し、デジタル情報は、電流にまたはイオン流を生成する化学種の移動速度に符号化される。別の態様では、センサモジュール２０７２または２０７４は、環境から情報を集め、アナログ情報をデジタル情報に変換し、次いで、デジタル情報を制御モジュール２０６２に通信する。図２３に示される態様では、センサモジュール２０７４は、材料２０３４および２０３６、ならびに制御デバイス２０３８に電気的に接続されるように示されている。別の態様では、図２４に示されるように、センサモジュール２０７４は、制御デバイスに電気的に接続され、結線は、センサモジュール２０７４への電力供給源、およびセンサモジュール２０７４と制御デバイス２０３８との間の通信チャネルの両方としての機能を果たす。ここで、図２３Ｂを参照すると、システム２０３０は、実施される特定の種類の検知機能に従って選択され、材料２０３９に連結されるｐＨセンサモジュール２０７６を含む。また、ｐＨセンサモジュール２０７６は、制御デバイス２０３８にも連結される。材料２０３９は、非導電性障壁２０５５によって材料２０３４から電気的に絶縁される。一態様では、材料２０３９は、白金である。動作中、ｐＨセンサモジュール２０７６は、材料２０３４／２０３６の間の電位差を使用する。ｐＨセンサモジュール２０７６は、材料２０３４と材料２０３９との間の電位差を測定し、後の比較のために、その値を記録する。また、ｐＨセンサモジュール２０７６は、材料２０３９と材料２０３６との間の電位差も測定し、後の比較のために、その値を記録する。ｐＨセンサモジュール２０７６は、電位値を使用して、周囲の環境のｐＨレベルを計算する。ｐＨセンサモジュール２０７６は、その情報を制御デバイス２０３８に提供する。制御デバイス２０３８は、イオン移動および電流をもたらす化学種の移動速度を、イオン移動におけるｐＨレベルに関する情報を符号化するように変動させ、これは、受信機（図示せず）によって検出することができる。したがって、システム２０３０は、ｐＨレベルに関連する情報を判定し、環境の外部のソースに提供することができる。上述されるように、制御デバイス２０３８は、所定の電流シグネチャを出力するように、事前にプログラムすることができる。別の態様では、システムは、システムが作動される際に、プログラミング情報を受信することができる、受信機システムを含むことができる。図示されない別の態様では、スイッチ２０６４およびメモリ２０６６を１つのデバイスに組み合わせることができる。上述の構成要素に加え、システム２０３０は１つあるいは他の電子構成要素をも含み得る。対象の電気構成要素は、それらに限定されないが、例えば集積回路の形式の追加の論理回路および／もしくはメモリ要素、例えばバッテリ、燃料電池、もしくはコンデンサーなどの電力規制デバイス、センサ若しくは刺激装置など、例えばアンテナ、電極、コイルなどの形式の信号送信素子、または例えばインダクタ、抵抗器などの受動素子が含まれる。簡潔性および明確性の観点から、プラグ／ジャック連結構成が本明細書中で開示されてきたが、他の好適な連結構成は本開示の範囲内であると考慮されることを理解されたい。そのような他の連結構成には、それらに限定されないが、機械的構成を使用して、インターフェースとして電気回路を接合するための電気−機械デバイスであるあらゆる電気コネクタが含まれる。その連結は可搬装置としては一時的であり、配置および除去のためにはツールが必要であり、または２つのワイヤもしくはデバイス間の恒久的な電気接合として働く。当業者にとって、２本の柔軟なワイヤもしくはケーブルを接合するための、またはワイヤ、ケーブル、もしくは光インターフェースを電気端子と連結するための電気コネクタは何百種類もあることを理解されたい。本開示の文脈においては、電気コネクタは物理インターフェースとしても参照され得る。そのようなコネクタは、これらに限定されないが、他の好適な連結機構の中でも、プラグおよびソケット、オーディオ／ビデオ、ポスト、キー式および非キー式、ロック式および非ロック式、Ｅｔｈｅｒｎｅｔ（登録商標）／Ｃａｔ５アプリケーションのために一般に使用されるモジュラマルチコンダクタプラグおよびジャック、Ｄ−サブミニアチュア、データポート、ＵＳＢ、ＲＦ、直流（ＤＣ）、ハイブリッドを含む。
【０１４０】
本開示において記述されているように、さまざまな通常物が、ＩＥＭデバイスによって生成される特有の電流シグネチャをピックアップするための電極を含むように修正されてきたことを理解されたい。そのような通常物は、図１〜４に示されるイヤホン１０８を備えるヘッドホン、図８〜１０に示されるモバイルデバイス８００、図１１〜１３に示されるモバイルデバイス包囲装置１１０２、図１５〜１６に示されるメガネ１５０４、１６０８、図１７に示されるサンバイザー、図１８に示されるヘルメット１８０８、図１９に示される補聴器１９０４Ｒ、１９０４Ｌ、および図２０に示される椅子２００８を含む。しかしながら、本開示は本文脈中においては限定されないということ理解されたい。そして患者が物体を保持し、そしてＩＥＭおよび関連投薬の摂取後に電極と物理的接触を行うとき、ＩＥＭデバイスによって生成される特有の電流信号を運ぶための電極セットを含むために、あらゆる好適な通常物を修正可能であることが意図される。例えば、電極を組み込むために修正可能な他の通常物は、これらに限定されないが、他の中でも、耳当て、帽子、コップ、食器（箸、ナイフ、スプーン、フォーク）、遠隔制御デバイスエンターテインメントシステム（テレビ、ステレオ、ＤＶＤプレーヤ）、可搬式メディアプレーヤ（ＡｐｐｌｅのｉＰｏｄ（登録商標）、ＭＰ３デバイス）、コンピュータキーボード、コンピュータマウス、テーブルトップ、薬品容器（錠剤ビン、ビタミンボトル、吸入可能服用ユニット）、薬品容器の段ボール箱、ヘッドバンド、ヘアバンド、自動二輪車用ヘルメット、スキーヘルメット、ゴーグル、スキーゴーグル、コーヒーカップ、歯ブラシ、杖、歩行器、ブレスレット、ベルト、サスペンダ、メディックアラートブレスレット、車両（自動車、トラック）ハンドル、鍵、家の鍵、車両（自動車、トラック）キー、楽器（キーボード、サキソフォン）ラップトップコンピュータ、ＡｐｐｌｅのｉＰａｄ（登録商標）または他のタブレットコンピュータ、電子書籍リーダ（ＡｍａｚｏｎのＫｉｎｄｌｅ（登録商標））、財布、財布ハンドル、手袋、二股手袋、名刺入れ、指ぬき、パルスオキシメータ、塩および胡椒シェーカ、飲料用ビン（ミルク、ワイン）、飲料用ボトルまたは缶（ソーダ、ジュース、水）、義歯、電子はかり、温度計、動物ぬいぐるみ（特に子ども用）、運動用具（エリプティカル・マシン、ダンベル、ウェイトリフティング、エクササイズボール、サイクリングマシン）、デジタルカメラ（静止画または動画カメラ）、ボードゲーム（スクラブル(登録商標)、モノポリー（登録商標）、チェス）、デジタル記録デバイス、ディクタフォン（登録商標）を含む。
【０１４１】
本開示において記述されるように、撮像装置（例えば、デジタルカメラ）を組み込むモバイルデバイスを使用して、とりわけ、ＩＥＭデバイス、薬物、薬物の入る容器の画像を撮像するために使用され得ることを理解されたい。画像が撮像されると、当該画像は、他の情報の中でも、薬物を服用する患者、薬物自体、パッケージ上の満了期日を検証するために使用することができる。デジタル形式で撮像された画像は記録、圧縮、ローカルエリアネットワークおよびワイドエリアネットワーク（インターネットなど）を介しての送信等が行われ得る。
【０１４２】
「一態様」または「ある態様」へのあらゆる参照は、その態様に関連して記述される特定の特徴、構造、あるいは特性は、少なくとも１つの態様に含まれることに注目されたい。したがって、本明細書中を通してさまざまな場所における「一態様における」または「ある態様における」という句の出現は、必ずしもすべて同一態様を参照しているわけではない。さらに、特定の特徴、構造または特性は、１つまたは複数の態様において、任意の好適な方法によって組み合わせ得る。
【０１４３】
いくつかの態様は、「接続されている（coupled）」および「連結されている（connected）」、という表現、ならびにそれらの派生形を使用して記述し得る。それらの用語は互いに同義であることが意図されていないことを理解されるべきである。例えば、いくつかの態様は、２つまたはそれ以上の要素が直接物理的あるいは電気的に互いに接触していることを示すために用語「連結されている」を使用して記述し得る。別の例では、いくつかの態様は、２つまたはそれ以上の要素が直接物理的あるいは電気的に接触をしているということを示すために用語「接続されている」を使用して記述し得る。用語「接続されている」は、しかしながら、また２つまたはそれ以上の要素が互いに直接接触してはいないが、しかし依然として互いに協働しているまたは影響し合うことも意味し得る。請求項に関わらず、本発明は以下の付記によっても明確にされる。
【０１４４】
付記１．摂取可能事象マーカによって生成される電気信号を検出するための可搬装置であって、
摂取可能事象マーカによって生成される電気信号を検出装置から受信し、好ましくは前記検出装置から前記電気信号を受信するための電極入力回路を有する検出サブシステムと、
前記電気信号を復号するための前記検出サブシステムに接続される処理サブシステムと、
復号された前記電気信号を無線ノードに送信するように構成される無線サブシステムとを備えることを特徴とする可搬装置。
【０１４５】
付記２．前記検出装置に接続されるためのプラグを受容するコネクタと、
前記検出装置が一体化されるハウジングと、
前記処理サブシステムによって実行可能な一連のコンピュータ実行可能命令を有し、前記コンピュータ実行可能命令が前記処理サブシステムによって実行されたとき、前記無線サブシステムに前記無線ノードとの通信を開始させるアプリケーションソフトウェアプログラムと
の中の１つまたは複数を備えることを特徴とする付記１に記載の可搬装置。
【０１４６】
付記３．前記検出サブシステムは、前記検出装置から前記電気信号を受信する電極入力回路を有すること
を特徴とする付記１または２に記載の可搬装置。
【０１４７】
付記４．前記電極入力回路に接続されるコネクタをさらに備え、前記検出装置は前記コネクタ内に受容されるプラグを有すること
を特徴とする付記１から３までのいずれか１つに記載の可搬装置。
【０１４８】
付記５．摂取可能事象マーカにより生成される電気信号を検出するためのシステムであって、
付記１から４までのいずれか１つに記載の可搬装置と、
前記可搬装置に接続する検出装置と
を備えることを特徴とするシステム。
【０１４９】
付記６．前記可搬装置を受容するカバーを備え、
前記検出サブシステムは包囲装置内に配置されること
を特徴とする付記５に記載のシステム。
【０１５０】
付記７．前記処理サブシステムは前記カバーに配置されること
を特徴とする付記５または６に記載のシステム。
【０１５１】
付記８．前記カバーは、前記可搬装置の前記処理サブシステムを受け付ける処理のための前記検出サブシステムに接続するコネクタを有すること
を特徴とする付記６または７に記載のシステム。
【０１５２】
付記９．前記検出装置は、
生体に接続する少なくとも１つの電極と、
前記可搬装置の前記検出サブシステムに前記少なくとも１つの電極を有線で連結するために、前記少なくとも１つの電極に有線で接続される第一の端部および前記可搬装置のコネクタに有線で接続される第二の端部を有するプラグと
を有することを特徴とする付記５から８までの何れか１つに記載のシステム。
【０１５３】
付記１０．前記検出装置は、
生体に接続する少なくとも１つの電極と、
前記少なくとも１つの電極に接続される検出回路モジュールと、
前記検出回路モジュールに接続されるアンテナと
を有することを特徴とする付記５から８までの何れか１つに記載のシステム。
【０１５４】
付記１１．前記検出装置は前記可搬装置に無線で接続されること
を特徴とする付記１０に記載のシステム。
【０１５５】
付記１２．前記検出装置は、イヤホンを備えるヘッドホン、可搬装置、可搬装置カバー、メガネ、サンバイザー、およびヘルメットから本質的になるグループから選択されることが好ましい物体内に配置されること
を特徴とする付記５から１１のいずれか１つに記載のシステム。
【０１５６】
付記１３．摂取可能事象マーカをさらに備えること
を特徴とする付記５から１２までのいずれか１つに記載のシステム。
【０１５７】
付記１５．摂取可能事象マーカにより生成される電気信号を処理する方法であって、
摂取可能事象マーカによって生成される電気信号を可搬装置で受信することと、
前記摂取可能事象マーカに関連する情報を抽出するために、前記可搬装置によって受信された前記電気信号を復号することと、
前記情報を無線ノードに送信することと
を含み、
前記可搬装置は、好ましくは付記１〜４までの何れか１つに記載の可搬装置であること
を特徴とする方法。
【０１５８】
付記１６．前記情報をリモートノードに送信することをさらに含むこと
を特徴とする付記１５に記載の方法。
【０１５９】
付記１７．摂取可能事象マーカにより生成される電気信号を検出するための、先行付記１から４、５から１３のそれぞれのいずれかに記載の可搬装置および／またはシステムの使用。
【０１６０】
本明細書中に記載されるように、各態様の特定の特徴が図示されてきたが、当業者には多くの修正、代用、変更、および同等品が想定されるであろう。したがって、付随する請求項は、すべてのそのような修正および変更が各態様の趣旨に当てはまるものとして包含されることを意図していることを理解されたい。
【０１６１】
関連出願の相互参照
本出願は、２０１１年  ７月２１日に出願され、「モバイル通信デバイス、システム及び方法」（Ｍｏｂｉｌｅ  Ｃｏｍｍｕｎｉｃａｔｉｏｎ  Ｄｅｖｉｃｅ、Ｓｙｓｔｅｍ  ａｎｄ  Ｍｅｔｈｏｄ）を発明の名称とする米国仮特許出願第６１／５１０，４３４号明細書の優先権を主張し、参照することによって全体が本明細書に組み込まれる。
【図１】
2020127235.tif 000004
【図２】
2020127235.tif 000005
【図３Ａ】
2020127235.tif 000006
【図３Ｂ】
2020127235.tif 000007
【図４】
2020127235.tif 000008
【図５】
2020127235.tif 000009
【図６Ａ】
2020127235.tif 000010
【図６Ｂ】
2020127235.tif 000011
【図７】
2020127235.tif 000012
【図８】
2020127235.tif 000013
【図９】
2020127235.tif 000014
【図１０】
2020127235.tif 000015
【図１１】
2020127235.tif 000016
【図１２】
2020127235.tif 000017
【図１３】
2020127235.tif 000018
【図１４】
2020127235.tif 000019
【図１５】
2020127235.tif 000020
【図１６】
2020127235.tif 000021
【図１７】
2020127235.tif 000022
【図１８】
2020127235.tif 000023
【図１９】
2020127235.tif 000024
【図２０】
2020127235.tif 000025
【図２１】
2020127235.tif 000026
【図２２】
2020127235.tif 000027
【図２３】
2020127235.tif 000028
【図２３Ａ】
2020127235.tif 000029
【図２３Ｂ】
2020127235.tif 000030
【図２４】
2020127235.tif 000031
【図２５】
2020127235.tif 000032
【図２６】
2020127235.tif 000033
【図２７】
2020127235.tif 000034
【図２８】
2020127235.tif 000035
【図２９】
2020127235.tif 000036
【図３０】
2020127235.tif 000037